(57)【要約】  ワイヤレス通信システムの基地局が開示される。ワイヤレス通信の基地局は、通信モジュールとプロセッサとを含む。プロセッサは、ダウンリンク(DL)帯域幅部分(BWP)の変更を示す物理ダウンリンク制御チャネル(PDCCH)を受信する場合、DL BWPの変更を示すPDCCHに基づいてDL BWPを変更し、DL BWPの変更を示すPDCCHを受信する前に受信されたPDCCHによってスケジューリングされた物理ダウンリンク共有チャネル(PDSCH)をPDSCH候補セットに含めないことと、ワイヤレス通信システムの基地局に、PDSCH候補セットに対応する物理ダウンリンク共有チャネル(PDSCH)のハイブリッド自動再送要求(HARQ)-ACK情報を含む半静的HARQ-ACKコードブックを送信することとを行うように構成される。
2021514147.tif 000002
【特許請求の範囲】
【請求項１】
ワイヤレス通信システムのユーザ機器であって、
通信モジュールと、
前記通信モジュールを制御するように構成されたプロセッサと
を備え、前記プロセッサは、
ダウンリンク(DL)帯域幅部分(BWP)の変更を示す物理ダウンリンク制御チャネル(PDCCH)を受信する場合、前記DL BWPの前記変更を示す前記PDCCHに基づいて前記DL BWPを変更し、前記DL BWPの前記変更を示す前記PDCCHを受信する前に受信されたPDCCHによってスケジューリングされた物理ダウンリンク共有チャネル(PDSCH)をPDSCH候補セットに含めないことと、
前記ワイヤレス通信システムの基地局に、前記PDSCH候補セットに対応する物理ダウンリンク共有チャネル(PDSCH)のハイブリッド自動再送要求(HARQ)-ACK情報を含む半静的HARQ-ACKコードブックを送信することと
を行うように構成される、ユーザ機器。
【請求項２】
前記ユーザ機器が、前記半静的HARQ-ACKコードブックを含む物理アップリンク制御チャネル(PUCCH)送信の開始シンボルからあらかじめ定められた先行時間前に前記DL BWPの前記変更を示す前記PDCCHを受信する場合、前記プロセッサは、前記DL BWPを変更し、前記DL BWPの前記変更を示す前記PDCCHを受信する前に受信されたPDCCHによってスケジューリングされたPDSCHを前記PDSCH候補セットに含めないことを行うように構成される、請求項1に記載のユーザ機器。
【請求項３】
前記あらかじめ定められた先行時間は、シンボルの数によって指定される、請求項2に記載のユーザ機器。
【請求項４】
前記あらかじめ定められた先行時間は、ユーザ機器の能力およびサブキャリア間隔に従って決定される、請求項2に記載のユーザ機器。
【請求項５】
複数のスロットにおいて繰り返されるPDSCHの受信が構成される場合、前記プロセッサは、前記複数のスロットのすべてにおいてPDSCH受信が利用可能であるかどうかに基づいて、前記PDSCH候補セットを決定するように構成される、請求項1に記載のユーザ機器。
【請求項６】
前記ユーザ機器が、前記複数のスロットのすべてにおいてPDSCH受信が利用不可能であると決定する場合、前記ユーザ機器は、前記複数のスロットにおいて繰り返される前記PDSCHを前記PDSCH候補セットに含めない、請求項5に記載のユーザ機器。
【請求項７】
前記プロセッサは、PDSCH受信が割り振られるシンボルの少なくとも1つがアップリンク(UL)シンボルに対応するかどうかに基づいて、前記PDSCH候補セットを決定するように構成される、請求項1に記載のユーザ機器。
【請求項８】
第1のPDSCHの受信が割り振られるシンボルの少なくとも1つがULシンボルに対応する場合、前記プロセッサは、前記第1のPDSCHを前記PDSCH候補セットに含めないように構成される、請求項7に記載のユーザ機器。
【請求項９】
第2のPDSCHの受信が割り振られるシンボルの少なくとも1つがPRACH送信のために使用されるシンボルである場合、前記プロセッサは、前記第2のPDSCHを前記PDSCH候補セットに含めないように構成される、請求項8に記載のユーザ機器。
【請求項１０】
複数のスロットにおいて繰り返されるPDSCHの受信が構成され、前記ユーザ機器が、前記複数のスロットのすべてにおいてPDSCH受信が利用不可能であると決定する場合、前記プロセッサは、前記複数のスロットにおいて繰り返される前記PDSCHを前記PDSCH候補セットに含めないように構成され、
前記ユーザ機器が、前記PDSCHの前記受信が前記複数のスロットのすべてにおいて利用不可能であると決定する場合、前記プロセッサは、PDSCH受信が割り振られるシンボルの少なくとも1つがいずれか1つのスロットのULシンボルに対応する場合、前記PDSCH受信は対応するスロットにおいて利用不可能であると決定するように構成される、請求項7に記載のユーザ機器。
【請求項１１】
前記プロセッサは、PDSCHのHARQ-ACK情報を処理するために必要な時間に基づいて前記PDSCH候補セットを決定するように構成される、請求項1に記載のユーザ機器。
【請求項１２】
第3のPDSCHのHARQ-ACK情報を処理するために前記必要な時間が、前記第3のPDSCHの最後のシンボルの終わりから前記半静的HARQ-ACKコードブックを含む物理アップリンク制御チャネル(PUCCH)の前記開始シンボルまでの時間より長い場合、前記プロセッサは、前記第3のPDSCHを前記PDSCH候補セットに含めないように構成される、請求項11に記載のユーザ機器。
【請求項１３】
前記第3のPDSCHの前記最後のシンボルの前記終わりから前記半静的HARQ-ACKコードブックを含む前記PUCCHの前記開始シンボルまでの前記時間は、シンボルの数によって決定される、請求項12に記載のユーザ機器。
【請求項１４】
ワイヤレス通信システムのユーザ機器を動作する方法であって、
ダウンリンク(DL)帯域幅部分(BWP)の変更を示す物理ダウンリンク制御チャネル(PDCCH)を受信する場合、前記DL BWPの前記変更を示す前記PDCCHに基づいて前記DL BWPを変更し、前記DL BWPの前記変更を示す前記PDCCHを受信する前に受信されたPDCCHによってスケジューリングされた物理ダウンリンク共有チャネル(PDSCH)をPDSCH候補セットに含めないステップと、
前記ワイヤレス通信システムの基地局に、前記PDSCH候補セットに対応する物理ダウンリンク共有チャネル(PDSCH)のハイブリッド自動再送要求(HARQ)-ACK情報を含む半静的HARQ-ACKコードブックを送信するステップと
を含む、方法。
【請求項１５】
前記DL BWPの前記変更を示す前記PDCCHを受信する前に受信された前記PDCCHによってスケジューリングされた前記PDSCHを前記PDSCH候補セットに含めない前記ステップは、
前記ユーザ機器が、前記半静的HARQ-ACKコードブックを含む物理アップリンク制御チャネル(PUCCH)送信の開始シンボルからあらかじめ定められた先行時間前に前記DL BWPの前記変更を示す前記PDCCHを受信する場合、前記DL BWPを変更し、前記DL BWPの前記変更を示す前記PDCCHを受信する前に受信されたPDCCHによってスケジューリングされたPDSCHを前記PDSCH候補セットに含めないステップを含む、請求項14に記載の方法。
【請求項１６】
前記あらかじめ定められた先行時間は、シンボルの数によって指定される、請求項15に記載の方法。
【請求項１７】
前記あらかじめ定められた先行時間は、ユーザ機器の能力およびサブキャリア間隔に従って決定される、請求項15に記載の方法。
【請求項１８】
複数のスロットにおいて繰り返されるPDSCHの受信が構成される場合、前記複数のスロットのすべてにおいてPDSCH受信が利用可能であるかどうかに基づいて、前記PDSCH候補セットを決定するステップをさらに含む、請求項14に記載の方法。
【請求項１９】
PDSCH受信が割り振られるシンボルの少なくとも1つがアップリンク(UL)シンボルに対応するかどうかに基づいて、前記PDSCH候補セットを決定するステップをさらに含む、請求項14に記載の方法。
【請求項２０】
PDSCHのHARQ-ACK情報を処理するために必要な時間に基づいて、前記PDSCH候補セットを決定するステップをさらに含む、請求項14に記載の方法。
【発明の詳細な説明】
【技術分野】
【０００１】
本発明は、ワイヤレス通信システムに関する。具体的には、本発明は、ワイヤレス通信システムのアップリンク制御情報送信、およびそれを使用する装置に関する。
【背景技術】
【０００２】
第4世代(4G)通信システムの商業化後、増大するワイヤレスデータトラフィックの需要を満たすために、新しい第5世代(5G)通信システムを開発する努力がなされている。5G通信システムは、4Gを超えたネットワーク通信システム、ポストLTEシステム、または新無線(NR)システムと呼ばれる。高速データ転送速度を実現するために、5G通信システムは、6GHz以上のミリ波(mmWave)帯を使用して運用されるシステムを含み、カバレッジ確保の観点から、6GHz以下の周波数帯を使用して運用される通信システムも含むため、基地局および端末における実装形態が検討されている。
【０００３】
第3世代パートナーシッププロジェクト(3GPP)NRシステムは、ネットワークのスペクトル効率を高め、通信プロバイダが所与の帯域幅を介してより多くのデータおよび音声サービスを提供することを可能にする。したがって、3GPP NRシステムは、大量の音声のサポートに加えて、高速データおよびメディア送信の需要を満たすように設計されている。NRシステムの利点は、同一プラットフォームでより高いスループットとより低いレイテンシを実現し、周波数分割複信(FDD)および時分割複信(TDD)をサポートし、向上されたエンドユーザ環境とシンプルなアーキテクチャで低運用コストとすることである。
【０００４】
より効率的なデータ処理のために、NRシステムの動的TDDは、セルユーザのデータトラフィック方向に従ってアップリンクおよびダウンリンクにおいて使用され得る直交周波数分割多重(OFDM)シンボルの数を変更するための方法を使用し得る。たとえば、セルのダウンリンクトラフィックがアップリンクトラフィックよりも大きい場合、基地局は、複数のダウンリンクOFDMシンボルをスロット(または、サブフレーム)に割り振り得る。スロット構成に関する情報は、端末に送信される必要がある。
【０００５】
電波の経路損失を軽減し、ミリ波帯における電波の伝送距離を増加させるために、5G通信システムでは、ビームフォーミング、大規模多入力/出力(大規模MIMO)、全次元MIMO(FD-MIMO)、アレイアンテナ、アナログビームフォーミング、アナログビームフォーミングとデジタルビームフォーミングを組み合わせたハイブリッドビームフォーミング、および大規模アンテナ技術が議論されている。さらに、システムのネットワーク改善のため、5G通信システムでは、進化したスモールセル、アドバンストスモールセル、クラウド無線アクセスネットワーク(クラウドRAN)、超高密度ネットワーク、デバイス間通信(D2D)、車車間/路車間通信(V2X)、ワイヤレスバックホール、非地上ネットワーク通信(NTN)、移動ネットワーク、協調通信、多地点協調(CoMP)、干渉キャンセルなどに関する技術開発が行われている。さらに、5Gシステムでは、高度なコーディング変調(ACM)スキームであるハイブリッドFSKおよびQAM変調(FQAM)およびスライディングウィンドウ重合せコーディング(SWSC)、および高度な接続技術であるフィルタバンクマルチキャリア(FBMC)、非直交多重アクセス(NOMA)、ならびにスパースコード多重アクセス(SCMA)が開発中である。
【０００６】
一方、人間が情報を生成および消費する人間中心の接続ネットワークでは、インターネットは、オブジェクトなどの分散コンポーネント間で情報を交換しするモノのインターネット(IoT)ネットワークへと進化した。クラウドサーバとの接続を通じてIoT技術をビッグデータ処理技術を組み合わせたインターネット・オブ・エブリシング(IoE)技術も登場している。IoTを実現するために、センシング技術、ワイヤード/ワイヤレス通信およびネットワークインフラストラクチャ、サービスインタフェース技術、ならびにセキュリティ技術などの技術要素が必要とされており、そのため近年は、オブジェクト間の接続のために、センサネットワーク、マシンツーマシン(M2M)、およびマシンタイプ通信(MTC)などの技術が研究されている。IoT環境では、人の生活に新たな価値を生み出すために、接続されたオブジェクトから生成されたデータを収集および分析するインテリジェントインターネット技術(IT)サービスが提供されうる。既存の情報技術(IT)と様々な産業の融合および混合により、IoTは、スマートホーム、スマートビルディング、スマートシティ、スマートカーまたはコネクテッドカー、スマートグリッド、ヘルスケア、スマート家電、および高度な医療サービスなどの分野に適用されうる。
【０００７】
したがって、5G通信システムをIoTネットワークに適用するために様々な試みがなされてきた。たとえば、センサネットワーク、マシンツーマシン(M2M)、およびマシンタイプ通信(MTC)などの技術は、ビームフォーミング、MIMO、およびアレイアンテナなどの技法によって実装されている。上述のビッグデータ処理技術としてのクラウドRANの適用は、5G技術とIoT技術の融合の一例である。一般に、モバイル通信システムは、ユーザの活動を確保しつつ音声サービスを提供するべく開発されてきた。
【０００８】
しかしながら、モバイル通信システムは、音声だけでなくデータサービスも徐々に拡大しており、現在では高速データサービスを提供するまでに発展している。しかしながら、現在サービスが提供されているモバイル通信システムでは、リソース不足現象およびユーザの高速サービス需要により、より高度なモバイル通信システムが求められている。
【発明の概要】
【発明が解決しようとする課題】
【０００９】
本発明の実施形態の目的は、ワイヤレス通信システムにおいて信号を効率的に伝送するための方法および装置を提供することである。また、本発明の実施形態の目的は、ワイヤレス通信システムにおいてアップリンク制御情報を送信するための方法、およびそれを使用する装置を提供することである。
【課題を解決するための手段】
【００１０】
本発明の一実施形態によるワイヤレス通信システムのユーザ機器は、通信モジュールと、通信モジュールを制御するように構成されたプロセッサとを含む。プロセッサは、ダウンリンク(DL)帯域幅部分(BWP)の変更を示す物理ダウンリンク制御チャネル(PDCCH)を受信する場合、DL BWPの変更を示すPDCCHに基づいてDL BWPを変更し、DL BWPの変更を示すPDCCHを受信する前に受信されたPDCCHによってスケジューリングされた物理ダウンリンク共有チャネル(PDSCH)をPDSCH候補セットに含めないことと、ワイヤレス通信システムの基地局に、PDSCH候補セットに対応する物理ダウンリンク共有チャネル(PDSCH)のハイブリッド自動再送要求(HARQ)-ACK情報を含む半静的HARQ-ACKコードブックを送信することとを行うように構成される。
【００１１】
ユーザ機器が、半静的HARQ-ACKコードブックを含む物理アップリンク制御チャネル(PUCCH)送信の開始シンボルからあらかじめ定められた先行時間前にDL BWPの変更を示すPDCCHを受信する場合、プロセッサは、DL BWPを変更し、DL BWPの変更を示すPDCCHを受信する前に受信されたPDCCHによってスケジューリングされたPDSCHをPDSCH候補セットに含めないこととを行うように構成され得る。
【００１２】
あらかじめ定められた先行時間は、シンボルの数によって指定され得る。
【００１３】
あらかじめ定められた先行時間は、ユーザ機器の能力およびサブキャリア間隔に従って決定され得る。
【００１４】
複数のスロットにおいて繰り返されるPDSCHの受信が構成される場合、プロセッサは、複数のスロットのすべてにおいてPDSCH受信が利用可能であるかどうかに基づいて、PDSCH候補セットを決定するように構成され得る。
【００１５】
ユーザ機器が、複数のスロットのすべてにおいてPDSCH受信が利用不可能であると決定する場合、ユーザ機器は、複数のスロットにおいて繰り返されるPDSCHをPDSCH候補セットに含めない場合がある。
【００１６】
プロセッサは、PDSCH受信が割り振られるシンボルの少なくとも1つがアップリンク(UL)シンボルに対応するかどうかに基づいて、PDSCH候補セットを決定するように構成され得る。
【００１７】
第1のPDSCHの受信が割り振られるシンボルの少なくとも1つがULシンボルに対応する場合、プロセッサは、第1のPDSCHをPDSCH候補セットに含めないように構成され得る。
【００１８】
第2のPDSCHの受信が割り振られるシンボルの少なくとも1つがPRACH送信のために使用されるシンボルである場合、プロセッサは、第2のPDSCHをPDSCH候補セットに含めないように構成され得る。
【００１９】
複数のスロットにおいて繰り返されるPDSCHの受信が構成され、ユーザ機器が、複数のスロットのすべてにおいてPDSCH受信が利用不可能であると決定する場合、プロセッサは、複数のスロットにおいて繰り返されるPDSCHをPDSCH候補セットに含めないように構成され得、ユーザ機器が、PDSCHの受信が複数のスロットのすべてにおいて利用不可能であると決定する場合、プロセッサは、PDSCH受信が割り振られるシンボルの少なくとも1つがいずれか1つのスロットのULシンボルに対応する場合、そのPDSCH受信は対応するスロットにおいて利用不可能であると決定するように構成され得る。
【００２０】
プロセッサは、PDSCHのHARQ-ACK情報を処理するために必要な時間に基づいてPDSCH候補セットを決定するように構成され得る。
【００２１】
第3のPDSCHのHARQ-ACK情報を処理するために必要な時間が、第3のPDSCHの最後のシンボルの終わりから半静的HARQ-ACKコードブックを含む物理アップリンク制御チャネル(PUCCH)の開始シンボルまでの時間より長い場合、プロセッサは、第3のPDSCHをPDSCH候補セットに含めないように構成され得る。
【００２２】
第3のPDSCHの最後のシンボルの終わりから半静的HARQ-ACKコードブックを含むPUCCHの開始シンボルまでの時間は、シンボルの数によって決定され得る。
【００２３】
本発明の実施形態によるワイヤレス通信システムのユーザ機器を動作する方法は、ダウンリンク(DL)帯域幅部分(BWP)の変更を示す物理ダウンリンク制御チャネル(PDCCH)を受信する場合、DL BWPの変更を示すPDCCHに基づいてDL BWPを変更し、DL BWPの変更を示すPDCCHを受信する前に受信されたPDCCHによってスケジューリングされた物理ダウンリンク共有チャネル(PDSCH)をPDSCH候補セットに含めないステップと、ワイヤレス通信システムの基地局に、PDSCH候補セットに対応する物理ダウンリンク共有チャネル(PDSCH)のハイブリッド自動再送要求(HARQ)-ACK情報を含む半静的HARQ-ACKコードブックを送信するステップとを含む。
【００２４】
DL BWPの変更を示すPDCCHを受信する前に受信されたPDCCHによってスケジューリングされたPDSCHをPDSCH候補セットに含めないステップは、ユーザ機器が、半静的HARQ-ACKコードブックを含む物理アップリンク制御チャネル(PUCCH)送信の開始シンボルからあらかじめ定められた先行時間前にDL BWPの変更を示すPDCCHを受信する場合、DL BWPを変更し、DL BWPの変更を示すPDCCHを受信する前に受信されたPDCCHによってスケジューリングされたPDSCHをPDSCH候補セットに含めないステップとを含み得る。
【００２５】
あらかじめ定められた先行時間は、シンボルの数によって指定され得る。
【００２６】
あらかじめ定められた先行時間は、ユーザ機器の能力およびサブキャリア間隔に従って決定され得る。
【００２７】
本方法は、複数のスロットにおいて繰り返されるPDSCHの受信が構成される場合、複数のスロットのすべてにおいてPDSCH受信が利用可能であるかどうかに基づいて、PDSCH候補セットを決定するステップをさらに含み得る。
【００２８】
本方法は、PDSCH受信が割り振られるシンボルの少なくとも1つがアップリンク(UL)シンボルに対応するかどうかに基づいて、PDSCH候補セットを決定するステップをさらに含み得る。
【００２９】
本方法は、PDSCHのHARQ-ACK情報を処理するために必要な時間に基づいて、PDSCH候補セットを決定するステップをさらに含み得る。
【発明の効果】
【００３０】
本発明の一実施形態は、ワイヤレス通信システムにおいてアップリンク制御情報を効率的に送信するための方法、およびそれを使用する装置を提供する。
【００３１】
本開示の様々な実施形態から取得することができる効果は、上述の効果に限定されず、上述されていない他の効果は、以下の説明から当業者に明確に導出され、理解され得る。
【図面の簡単な説明】
【００３２】
【図１】ワイヤレス通信システムにおいて使用されるワイヤレスフレーム構造の例を示す図である。
【図２】ワイヤレス通信システムにおけるダウンリンク(DL)/アップリンク(UL)スロット構造の例を示す図である。
【図３】3GPPシステムにおいて使用される物理チャネルと、物理チャネルを利用した典型的な信号送信方法を説明するための図である。
【図４】3GPP NRシステムにおける初期セルアクセスのためのSS/PBCHブロックを示す図である。
【図５】3GPP NRシステムにおいて制御情報および制御チャネルを送信するための手順を示す図である。
【図６】物理ダウンリンク制御チャネル(PDCCH)が3GPP NRシステムにおいて送信され得る制御リソースセット(CORESET)を示す図である。
【図７】3GPP NRシステムにおいてPDCCH探索空間を構成するための方法を示す図である。
【図８】キャリアアグリゲーションを示す概念図である。
【図９】信号キャリア通信およびマルチキャリア通信を説明するための図である。
【図１０】クロスキャリアスケジューリング技法が適用される例を示す図である。
【図１１】本発明の実施形態による、UEと基地局の構成を示すブロック図である。
【図１２】本発明の実施形態による各コンポーネントキャリアにマッピングされたダウンリンク割当てインデックス(DAI)の値を示す図である。
【図１３】本発明の実施形態による基地局からユーザ機器に送信されるDCIによって示されるDAI値を示す図である。
【図１４】本発明の実施形態によるユーザ機器がHARQ-ACKコードブックを生成する動作を示す図である。
【図１５】本発明の実施形態によるユーザ機器がPDSCH候補セットを決定する動作を示す図である。
【図１６】PDSCH候補セットに、K1およびK0に従って本発明の実施形態によるユーザ機器にシグナリングされたSLIVによって示されるPDSCH候補を含めるかどうかの決定を示す図である。
【図１７】本発明の実施形態によるユーザ機器がPRACH構成に基づいてPDSCH候補セットを決定することを示す図である。
【図１８】本発明の実施形態によるユーザ機器がSS/PBCHブロック構成に基づいてPDSCH候補セットを決定することを示す図である。
【図１９】本発明の実施形態によるユーザ機器がPDSCHを受信し、対応するPDSCHのHARQ-ACK情報を処理するために必要な時間に基づいてPDSCH候補セットを決定することを示す図である。
【図２０】本発明の実施形態によるユーザ機器がPDSCHを受信し、対応するPDSCHのHARQ-ACK情報を処理するために必要な時間に基づいてPDSCH候補セットを決定することを示す図である。
【図２１】本発明の実施形態によるユーザ機器が基準PUCCHリソースまたは基準PUSCHリソースに基づいてPDSCH候補セットを決定することを示す図である。
【図２２】本発明の実施形態によるユーザ機器がスロット単位でPDSCHのHARQ-ACK処理に必要な時間を計算することによってPDSCH候補セットを決定することを示す図である。
【図２３】ユーザ機器がPDSCHのHARQ-ACK情報をスロット単位で送信するための処理に必要な時間を計算する際に、ユーザ機器が基準PUCCHリソースまたは基準PUSCHリソースに基づいてPDSCH候補セットを決定することを示す図である。
【図２４】本発明の実施形態によるユーザ機器の方法が、PDSCHが、HARQ-ACKコードブックを含むPUSCHをスケジューリングするPDCCHの後に受信されるPDCCHによってスケジューリングされるかどうかに従って、PDSCH候補セットを決定することを示す図である。
【図２５】本発明の実施形態によるユーザ機器が、HARQ-ACK情報を含むPUCCHの送信を示すPDCCHを受信した後、ユーザ機器が、対応するPUCCHの送信が示されるリソースを変更するPDCCHを受信することを示す図である。
【発明を実施するための形態】
【００３３】
本明細書において使用される用語は、本発明の機能を考慮することによって、現在可能な限り広く使用されている一般用語を採用するが、当業者の意図、慣習、および新技術の出現により、用語が変わる場合がある。さらに、特定の場合において、出願人によって任意に選択された用語があり、この場合、その意味については、本発明の対応する説明部分に記載する。したがって、本明細書において使用される用語は、用語の名称だけでなく、本明細書の全体にわたる用語および内容の実質的な意味に基づいて分析されるべきであることを明らかにされることを意図する。
【００３４】
本明細書およびそれに続く特許請求の範囲にわたって、要素が他の要素に「接続される(connected)」と記載されている場合、その要素は他の要素に「直接接続(directly connected)」されてもよく、または第3の要素を通じて他の要素に「電気的に接続(electrically connected)」されてもよい。さらに、反対に明確に記載されていない限り、「備える(comprise)」という語は、述べられた要素を含むことを意味するが、特に明記しない限り、任意の他の要素の排除を意味しないことが理解される。さらに、いくつかの例示的な実施形態では、特定のしきい値に基づく「以上(more than or equal to)」または「以下(less than or equal to)」などの制限は、それぞれ「を上回る(more than)」または「未満(less than)」で適切に置き換えることができる。
【００３５】
以下の技術は、符号分割多元接続(CDMA)、周波数分割多元接続(FDMA)、時分割多元接続(TDMA)、直交周波数分割多元接続(OFDMA)、シングルキャリアFDMA(SC-FDMA)などの、様々なワイヤレスアクセスシステムにおいて使用され得る。CDMAは、ユニバーサル地上無線アクセス(UTRA)またはCDMA2000などのワイヤレス技術によって実装され得る。TDMAは、グローバルシステムフォーモバイルコミュニケーションズ(GSM)/一般パケット無線サービス(GPRS)/GSM進化のための強化されたデータレート(EDGE)などのワイヤレス技術によって実装され得る。OFDMAは、IEEE 802.11(Wi-Fi)、IEEE 802.16(WiMAX)、IEEE 802.20、進化型UTRA(E-UTRA)などのワイヤレス技術によって実装され得る。UTRAは、ユニバーサルモバイル通信システム(UMTS)の一部である。第3世代パートナーシッププロジェクト(3GPP)ロングタームエボリューション(LTE)は、進化型UMTS地上無線アクセス(E-UTRA)を使用した進化型UMTS(E-UMTS)の一部であり、LTE-advanced(A)は、3GPP LTEの進化したバージョンである。3GPP新無線(NR)は、LTE/LTE-Aとは別に設計されたシステムであり、拡張モバイルブロードバンド(eMBB)、超高信頼性および低レイテンシ通信(URLLC)、ならびにIMT-2020の要件である大規模マシンタイプ通信(mMTC)サービスをサポートするためのシステムである。説明を明確にするために、3GPP NRを中心に説明するが、本発明の技術的アイデアはそれに限定されるものではない。
【００３６】
本明細書において特に指定がない限り、基地局は、3GPP NRにおいて定義された次世代ノードB(gNB)を含み得る。さらに、特に指定がない限り、端末はユーザ機器(UE)を含み得る。以下、説明の理解を助けるために、各コンテンツは実施形態によって別々に説明されているが、各実施形態は相互に組み合わせて使用されてもよい。本明細書では、UEの構成は、基地局による構成を示し得る。より詳細には、基地局は、チャネルまたは信号をUEに送信することによって、UEまたはワイヤレス通信システムの動作において使用されるパラメータの値を構成し得る。
【００３７】
図1は、ワイヤレス通信システムにおいて使用されるワイヤレスフレーム構造の例を示している。
【００３８】
図1を参照すると、3GPP NRシステムにおいて使用されるワイヤレスフレーム(または、無線フレーム)は、10ms((ΔfmaxNf/100)*Tc)の長さを有し得る。さらに、ワイヤレスフレームは、同じサイズの10個のサブフレーム(SF)を含む。ここで、Δfmax=480*103Hz、Nf=4096、Tc=1/(Δfref*Nf,ref)、Δfref=15*103Hz、およびNf,ref=2048である。1つのワイヤレスフレーム内の10個のサブフレームにそれぞれ0から9までの番号が割り振られ得る。各サブフレームの長さは1msであり、サブキャリア間隔に従って1つまたは複数のスロットを含み得る。より具体的には、3GPP NRシステムにおいて、使用され得るサブキャリア間隔は15*2μkHzであり、μはサブキャリア間隔構成としてμ=0、1、2、3、4の値を有することができる。すなわち、15kHz、30kHz、60kHz、120kHz、および240kHzがサブキャリア間隔のために使用され得る。1msの長さを有する1つのサブフレームは、2μスロットを含み得る。この場合、各スロットの長さは2-μmsである。1つのワイヤレスフレーム内の2μのスロットには、0から2μ-1までの番号がそれぞれ割り振られ得る。さらに、1つのサブフレーム内のスロットには、それぞれ0から10*2μ-1の番号が割り振られ得る。時間リソースは、ワイヤレスフレーム番号(ワイヤレスフレームインデックスとも呼ばれる)、サブフレーム番号(サブフレームインデックスとも呼ばれる)、およびスロット番号(または、スロットインデックス)の少なくとも1つによって区別され得る。
【００３９】
図2は、ワイヤレス通信システムにおけるダウンリンク(DL)/アップリンク(UL)スロット構造の例を示す図である。具体的には、図2は、3GPP NRシステムのリソースグリッドの構造を示している。
【００４０】
アンテナポートごとに1つのリソースグリッドがある。図2を参照すると、スロットは、時間領域に複数の直交周波数分割多重(OFDM)シンボルを含み、周波数領域に複数のリソースブロック(RB)を含む。OFDMシンボルは、1つのシンボルセクションも意味する。特に指定がない限り、OFDMシンボルは単にシンボルと呼ばれることがある。1つのRBは、周波数領域内に12個の連続したサブキャリアを含む。図2を参照すると、各スロットから送信された信号は、Nsize,μgrid,x*NRBscサブキャリア、およびNslotsymb OFDMシンボルを含むリソースグリッドによって表され得る。ここで、信号がDL信号の場合はx=DL、信号がUL信号の場合はx=ULである。Nsize,μgrid,xは、サブキャリア間隔構成要素μ(xはDLまたはUL)に従ったリソースブロック(RB)の数を表し、Nslotsymbはスロット内のOFDMシンボルの数を表す。NRBscは、1つのRBを構成するサブキャリアの数であり、NRBsc=12である。OFDMシンボルは、多元接続方式に従って、サイクリックシフトOFDM (CP-OFDM)シンボル、または離散フーリエ変換拡散OFDM(DFT-s-OFDM)シンボルと呼ばれ得る。
【００４１】
1つのスロットに含まれるOFDMシンボルの数は、サイクリックプレフィックス(CP)の長さに従って異なり得る。たとえば、通常のCPの場合、1つのスロットは14個のOFDMシンボルを含むが、拡張されたCPの場合、1つのスロットは12個のOFDMシンボルを含み得る。特定の実施形態では、拡張されたCPは、60kHzのサブキャリア間隔でのみ使用することができる。図2において、説明の便宜上、一例として14個のOFDMシンボルで1つのスロットを構成しているが、本開示の実施形態は、異なる数のOFDMシンボルを有するスロットにも同様に適用され得る。図2を参照すると、各OFDMシンボルは、周波数領域内にNsize,μgrid,x*NRBscサブキャリアを含む。サブキャリアのタイプは、データ送信のためのデータサブキャリア、基準信号の送信のための基準信号サブキャリア、およびガードバンドに分割され得る。キャリア周波数は、中心周波数(fc)とも呼ばれる。
【００４２】
1つのRBは、周波数領域におけるNRBsc(たとえば、12個)の連続するサブキャリアによって定義され得る。参考までに、1つのOFDMシンボルと1つのサブキャリアで構成されるリソースは、リソース要素(RE)またはトーンと呼ばれることがある。したがって、1つのRBをNslotsymb*NRBscリソース要素で構成することができる。リソースグリッドにおける各リソース要素は、1つのスロット内のインデックスのペア(k、l)によって一意に定義することができる。kは、周波数領域内で0からNsize,μgrid,x*NRBsc-1に割り当てられたインデックスであり得、lは、時間領域内で0からNslotsymb-1に割り当てられたインデックスであり得る。
【００４３】
UEが基地局から信号を受信するか、または信号を基地局に送信するために、UEの時間/周波数は、基地局の時間/周波数と同期され得る。これは、基地局とUEが同期している場合、UEは、DL信号を復調し正しい時間にUL信号を送信するために必要な時間と周波数のパラメータを決定できるためである。
【００４４】
時分割複信(TDD)または不対スペクトルにおいて使用される無線フレームの各シンボルは、DLシンボル、ULシンボル、およびフレキシブルシンボルの少なくとも1つで構成され得る。周波数分割複信(FDD)または対スペクトルにおいてDLキャリアとして使用される無線フレームは、DLシンボルまたはフレキシブルシンボルで構成され得、ULキャリアとして使用される無線フレームは、ULシンボルまたはフレキシブルシンボルで構成され得る。DLシンボルでは、DL送信は可能であるが、UL送信は使用不可能である。ULシンボルでは、UL送信は可能であるが、DL送信は使用不可能である。フレキシブルシンボルは、信号に従って、DLまたはULとして使用されるように決定され得る。
【００４５】
各シンボルのタイプに関する情報、すなわち、DLシンボル、ULシンボル、およびフレキシブルシンボルのいずれか1つを表す情報は、セル固有または共通の無線リソース制御(RRC)信号で構成され得る。さらに、各シンボルのタイプに関する情報は、UE固有または専用のRRC信号でさらに構成され得る。基地局は、セル固有のRRC信号を使用することによって、i)セル固有のスロット構成の期間、ii)セル固有のスロット構成の期間の開始からDLシンボルのみのスロットの数、iii)DLシンボルのみのスロットの直後のスロットの第1のシンボルからのDLシンボルの数、iv)セル固有のスロット構成の期間の終わりからのULシンボルのみのスロットの数、およびv)ULシンボルのみのスロットの直前のスロットの最後のシンボルからのULシンボルの数を通知する。ここで、ULシンボルおよびDLシンボルのいずれかで構成されていないシンボルは、フレキシブルシンボルである。
【００４６】
シンボルタイプに関する情報がUE固有のRRC信号で構成されている場合、基地局は、フレキシブルシンボルがセル固有のRRC信号内のDLシンボルであるかULシンボルであるかをシグナリングし得る。この場合、UE固有のRRC信号は、セル固有のRRC信号で構成されたDLシンボルまたはULシンボルを他のシンボルタイプに変更することはできない。UE固有のRRC信号は、スロットごとの対応するスロットのNslotsymbシンボル間のDLシンボルの数、および対応するスロットのNslotsymbシンボル間のULシンボルの数をシグナリングし得る。この場合、スロットのDLシンボルは、スロットの第1のシンボルからi番目のシンボルで連続的に構成され得る。さらに、スロットのULシンボルは、スロットのj番目のシンボルから最後のシンボル(i<jの場合)で連続的に構成され得る。スロットにおいて、ULシンボルおよびDLシンボルのいずれかで構成されていないシンボルは、フレキシブルシンボルである。
【００４７】
上記のRRC信号で構成されたシンボルのタイプは、半静的DL/UL構成と呼ばれることがある。以前にRRC信号で構成された半静的DL/UL構成では、物理DL制御チャネル(PDCCH)で送信される動的スロットフォーマット情報(SFI)を通じて、フレキシブルシンボルがDLシンボル、ULシンボル、またはフレキシブルシンボルとして示される場合がある。この場合、RRC信号で構成されたDLシンボルまたはULシンボルは、他のシンボルタイプに変更されない。表1は、基地局がUEに示すことができる動的SFIの例である。
【００４８】
【表１】
2021514147.tif 000003
【００４９】
表1において、DはDLシンボルを示し、UはULシンボルを示し、Xはフレキシブルシンボルを示す。表1に示されるように、1つのスロットにおいて最大2つのDL/UL切替えが可能であり得る。
【００５０】
図3は、3GPPシステム(たとえば、NR)において使用される物理チャネルと、物理チャネルを利用した典型的な信号送信方法を説明するための図である。
【００５１】
UEの電源がオンになるか、またはUEが新しいセルにキャンプすると、UEは初期セルサーチを実行する(S101)。具体的には、UEは、初期セルサーチにおいてBSと同期し得る。このために、UEは、基地局と同期するために基地局からプライマリ同期信号(PSS)およびセカンダリ同期信号(SSS)を受信し、セルIDなどの情報を取得し得る。その後、UEは、基地局から物理ブロードキャストチャネルを受信し、セル内のブロードキャスト情報を取得することができる。
【００５２】
初期セルサーチが完了すると、UEは物理ダウンリンク制御チャネル(PDCCH)とPDCCH内の情報に従って物理ダウンリンク共有チャネル(PDSCH)を受信するため、UEは、初期セルサーチ(S102)を通じて取得されたシステム情報よりも具体的なシステム情報を取得することができる。ここで、UEによって受信されるシステム情報は、無線リソース制御(RRC)における物理層でのUEの通常動作のためのセル共通システム情報であり、残りのシステム情報を参照するか、システム情報ブロック(SIB)1が呼び出される。
【００５３】
UEが最初に基地局にアクセスするか、または信号送信のための無線リソースを有しない場合(すなわち、RRC_IDLEモードにおけるUE)、UEは基地局でランダムアクセス手順を実行し得る(動作S103からS106)。第1に、UEは、物理ランダムアクセスチャネル(PRACH)を通じてプリアンブルを送信し(S103)、PDCCHおよび対応するPDSCHを通じて基地局からプリアンブルに対する応答メッセージを受信することができる(S104)。有効なランダムアクセス応答メッセージがUEによって受信されると、UEは、UEの識別子などを含むデータを、基地局からPDCCHを通じて送信されたULグラントによって示される物理アップリンク共有チャネル(PUSCH)を通じて基地局に送信する(S105)。次に、UEは、衝突解決のための基地局の指示としてPDCCHの受信を待つ。UEがUEの識別子を通じてPDCCHを正常に受信した場合(S106)、ランダムアクセスプロセスは終了する。UEは、ランダムアクセスプロセス中に、RRC層における物理層でのUEの通常動作のためのUE固有のシステム情報を取得し得る。UEがUE固有のシステム情報を取得すると、UEはRRC接続モード(RRC_CONNECTEDモード)に入る。
【００５４】
RRC層は、UEと無線アクセスネットワーク(RAN)との間の接続を制御するためのメッセージを生成または管理するために使用される。より詳細には、RRC層における基地局およびUEは、セル内のすべてのUEによって必要とされるセルシステム情報をブロードキャストすることと、モビリティおよびハンドオーバの管理をすることと、UEの測定報告、UE機能管理およびデバイス管理を含むストレージ管理を実行し得る。一般に、RRC層において配信される信号の更新の期間は物理層における送信時間間隔(TTI)より長いため、RRC信号は変更されず、かなり長い間隔で維持される。
【００５５】
上述の手順の後、UEは、PDCCH/PDSCHを受信し(S107)、一般的なUL/DL信号送信手順として、物理アップリンク共有チャネル(PUSCH)/物理アップリンク制御チャネル(PUCCH)を送信する(S108)。具体的には、UEは、PDCCHを通じてダウンリンク制御情報(DCI)を受信し得る。DCIは、UEのためのリソース割振り情報などの制御情報を含み得る。また、DCIのフォーマットは、使用目的によって異なる場合がある。UEがULを通じて基地局に送信するアップリンク制御情報(UCI)は、DL/UL ACK/NACK信号、チャネル品質インジケータ(CQI)、プリコーディングマトリックスインデックス(PMI)、ランクインジケータ(RI)などを含む。ここで、CQI、PMI、およびRIは、チャネル状態情報(CSI)に含まれ得る。3GPP NRシステムでは、UEは、PUSCHおよび/またはPUCCHを通じて、上述のHARQ-ACKおよびCSIなどの制御情報を送信し得る。
【００５６】
図4は、3GPP NRシステムにおける初期セルアクセスのためのSS/PBCHブロックを示している。
【００５７】
電源がオンにされたとき、または新しいセルにアクセスしたいとき、UEはセルとの時間および周波数の同期を取得し、初期セルサーチ手順を行い得る。UEは、セルサーチ手順中にセルの物理セルアイデンティティNcellIDを検出し得る。このために、UEは、同期信号、たとえば、プライマリ同期信号(PSS)およびセカンダリ同期信号(SSS)を基地局から受信し、基地局と同期し得る。この場合、UEはセルアイデンティティ(ID)などの情報を取得することができる。
【００５８】
図4Aを参照して、同期信号(SS)についてより詳細に説明する。同期信号は、PSSとSSSに分類することができる。PSSは、OFDMシンボル同期およびスロット同期などの時間領域同期および/または周波数領域同期を取得するために使用され得る。フレーム同期とセルグループIDを取得するために、SSSを使用することができる。図4Aと表2を参照すると、SS/PBCHブロックは、周波数軸における連続する20個のRB(=240個のサブキャリア)で構成することができ、時間軸における連続する4個のOFDMシンボルで構成することができる。この場合、SS/PBCHブロックでは、PSSは第1のOFDMシンボルにおいて送信され、SSSは56番目から182番目のサブキャリアを通じて第3のOFDMシンボルにおいて送信される。ここでは、SS/PBCHブロックの最も低いサブキャリアインデックスに0から番号が付けられる。PSSが送信される第1のOFDMシンボルでは、基地局は、残りのサブキャリア、すなわち、0番目から55番目および183番目から239番目のサブキャリアを通じて信号を送信しない。さらに、SSSが送信される第3のOFDMシンボルでは、基地局は、48から55番目および183から191番目のサブキャリアを通じて信号を送信しない。基地局は、SS/PBCHブロック内の上記の信号を除いて、残りのREを通じて物理ブロードキャストチャネル(PBCH)を送信する。
【００５９】
【表２】
2021514147.tif 000004
【００６０】
SSは、合計1008個の一意の物理層セルIDを336個の物理層セル識別子グループにグループ化することを可能とし、各グループは、3つのPSSとSSSの組合せを通じて、具体的には各物理層セルIDが1つの物理層セル識別子グループの一部のみになるように、3つの一意の識別子を含む。したがって、物理層セルID NcellID=3N(1)ID+N(2)IDは、物理層セル識別子グループと物理層セル識別子グループ内の物理層識別子を示す0から2の範囲のインデックスN(2)IDを示す0から335の範囲のインデックスN(1)IDによって一意に定義されうる。UEはPSSを検出し、3つの一意の物理層識別子のうちの1つを識別し得る。さらに、UEはSSSを検出し、物理層識別子に関連付けられる336個の物理層セルIDのうちの1つを識別することができる。この場合、PSSのシーケンスdPSS(n)は次のようになる。
【００６１】
【数１】
2021514147.tif 000005
【００６２】
ここで、x(i+7)=(x(i+4)+x(i))mod2であり、次のように与えられる。
[x(6) x(5) x(4) x(3) x(2) x(1) x(0)]=[1 1 1 0 1 1 0]
さらに、SSSのシーケンスdSSS(n)は次の通りである。
【００６３】
【数２】
2021514147.tif 000006
【００６４】
ここで、x0(i+7)=(x0(i+4)+x0(i))mod2
x1(i+7)=(x1(i+1)+x1(i))mod2
であり、次のように与えられる。
[x0(6) x0(5) x0(4) x0(3) x0(2) x0(1) x0(0)]=[0 0 0 0 0 0 1]
[x1(6) x1(5) x1(4) x1(3) x1(2) x1(1) x1(0)]=[0 0 0 0 0 0 1]
【００６５】
10msの長さの無線フレームは、5msの長さの2つの半分のフレームに分割され得る。図4Bを参照して、各ハーフフレームにおいてSS/PBCHブロックが送信されるスロットについて説明する。SS/PBCHブロックが送信されるスロットは、ケースA、B、C、D、およびEのうちのいずれか1つであり得る。ケースAでは、サブキャリア間隔は15kHzであり、SS/PBCHブロックの開始時点は({2,8}+14*n)番目のシンボルである。この場合、3GHz以下のキャリア周波数においてn=0または1である。さらに、3GHzを上回り6GHz未満のキャリア周波数においてn=0、1、2、3になる場合がある。ケースBでは、サブキャリア間隔は30kHzであり、SS/PBCHブロックの開始時点は{4,8,16,20}+28*nである。この場合、3GHz以下のキャリア周波数においてn=0である。さらに、3GHzを上回り6GHz未満のキャリア周波数においてn=0、1になる場合がある。ケースCでは、サブキャリア間隔は30kHzであり、SS/PBCHブロックの開始時点は({2,8}+14*n)番目のシンボルである。この場合、3GHz以下のキャリア周波数においてn=0または1である。さらに、3GHzを上回り6GHz未満のキャリア周波数においてn=0、1、2、3になる場合がある。ケースDでは、サブキャリア間隔は120kHzであり、SS/PBCHブロックの開始時点は({4,8,16,20}+28*n)番目のシンボルである。この場合、6GHz以上のキャリア周波数において、n=0,1,2,3,5,6,7,8,10,11,12,13,15,16,17,18である。ケースEでは、サブキャリア間隔は240kHzであり、SS/PBCHブロックの開始時点は({8,12,16,20,32,36,40,44}+56*n)番目のシンボルである。この場合、6GHz以上のキャリア周波数において、n=0,1,2,3,5,6,7,8である。
【００６６】
図5は、3GPP NRシステムにおいて制御情報および制御チャネルを送信するための手順を示す図である。図5Aを参照すると、基地局は、無線ネットワーク一時識別子(RNTI)でマスクされた巡回冗長検査(CRC)(たとえば、XOR演算)を制御情報(たとえば、ダウンリンク制御情報(DCI))に追加し得る(S202)。基地局は、各制御情報の目的/目標に従って決定されたRNTI値でCRCをスクランブルし得る。1つまたは複数のUEによって使用される共通RNTIは、システム情報RNTI(SI-RNTI)、ページングRNTI(P-RNTI)、ランダムアクセスRNTI(RA-RNTI)、および送信電力制御RNTI(TPC-RNTI)のうちの少なくとも1つを含むことができる。さらに、UE固有のRNTIは、セル一時RNTI(C-RNTI)およびCS-RNTIのうちの少なくとも1つを含み得る。その後、基地局は、チャネル符号化(たとえば、ポーラコーディング)を実行した後(S204)、PDCCH送信のために使用されるリソースの量に従ってレートマッチングを実行し得る(S206)。その後、基地局は、制御チャネル要素(CCE)ベースのPDCCH構造に基づいてDCIを多重化し得る(S208)。さらに、基地局は、スクランブリング、変調(たとえば、QPSK)、インターリービングなどの追加のプロセスを多重化されたDCIに適用し(S210)、次いで、DCIを送信されるべきリソースにマッピングし得る。CCEは、PDCCHのための基本的なリソースユニットであり、1つのCCEは、複数(たとえば、6つ)のリソース要素グループ(REG)を含み得る。1つのREGは、複数(たとえば、12個)のREで構成され得る。1つのPDCCHに使用されるCCEの数は、アグリゲーションレベルとして定義され得る。3GPP NRシステムにおいて、1、2、4、8、または16のアグリゲーションレベルが使用され得る。図5Bは、CCEアグリゲーションレベルとPDCCHの多重化に関する図であり、1つのPDCCHに使用されるCCEアグリゲーションレベルのタイプと、それに従って制御エリア内で送信されるCCEを示している。
【００６７】
図6は、物理ダウンリンク制御チャネル(PDCCH)が3GPP NRシステムにおいて送信され得る制御リソースセット(CORESET)を示している。
【００６８】
CORESETは、PDCCH、すなわち、UEのための制御信号が送信される時間-周波数リソースである。さらに、後述する探索空間が1つのCORESETにマッピングされてもよい。したがって、UEは、PDCCH受信のためにすべての周波数帯域を監視する代わりに、CORESETとして指定された時間-周波数領域を監視し、CORESETにマッピングされたPDCCHを復号し得る。基地局は、セルごとに1つまたは複数のCORESETをUEに構成し得る。CORESETは、時間軸上の最大3つの連続したシンボルで構成され得る。さらに、CORESETは、周波数軸上の6つの連続するPRBの単位で構成され得る。図5の実施形態では、CORESET#1は連続したPRBで構成され、CORESET#2とCORESET#3は不連続なPRBで構成されている。CORESETは、スロット内の任意のシンボルに配置することができる。たとえば、図5の実施形態では、CORESET#1はスロットの第1のシンボルにおいて始まり、CORESET#2はスロットの第5のシンボルにおいて始まり、CORESET#9はスロットの第9のシンボルにおいて始まる。
【００６９】
図7は、3GPP NRシステムにおいてPDCCH探索空間を設定するための方法を示している。
【００７０】
PDCCHをUEに送信するために、各CORESETは少なくとも1つの探索空間を有し得る。本開示の実施形態では、探索空間は、UEのPDCCHが送信されることが可能であるすべての時間周波数リソース(以下、PDCCH候補)のセットである。探索空間は、3GPP NRのUEが一般に探索することを要求される共通の探索空間と、特定のUEが探索することを要求されるUE固有の探索空間とを含み得る。共通の探索空間では、UEは、同じ基地局に属するセル内のすべてのUEが共通に探索するように設定されたPDCCHを監視し得る。さらに、UE固有の探索空間は、UEが、UEに従って異なる探索空間位置において各UEに割り振られたPDCCHを監視するように、UEごとに設定され得る。UE固有の探索空間の場合、PDCCHが割り振られ得る限定された制御エリアのために、UE間の探索空間が部分的に重複されて割り振られ得る。PDCCHのモニタリングは、探索空間内のPDCCH候補のブラインド復号を含む。ブラインド復号が成功した場合、PDCCHが(正常に)検出/受信されたと表現され得、ブラインド復号できない場合、PDCCHが検出されなかった/受信されなかった、または正常に検出/受信されなかったと表現され得る。
【００７１】
説明の便宜上、1つまたは複数のUEにDL制御情報を送信するために1つまたは複数のUEに以前に知られているグループ共通(GC)RNTIでスクランブルされたPDCCHは、グループ共通(GC)PDCCHまたは共通PDCCHと呼ばれる。さらに、特定のUEにULスケジューリング情報またはDLスケジューリング情報を送信するために特定のUEがすでに知っている特定端末RNTIでスクランブルされたPDCCHは、特定UE PDCCHと呼ばれる。共通PDCCHは、共通の探索空間に含まれてもよく、UE固有のPDCCHは、共通の探索空間またはUE固有のPDCCHに含まれてもよい。
【００７２】
基地局は、アップリンク共有チャネル(UL-SCH)およびハイブリッド自動再送要求(HARQ)のリソース割振りに関する送信チャネルまたは情報(すなわち、ULグラント)であるページングチャネル(PCH)およびダウンリンク共有チャネル(DL-SCH)のリソース割振りに関する情報(すなわち、DLグラント)についてのPDCCHを通じて各UEまたはUEグループをシグナリングし得る。基地局は、PDSCHを通じて、PCHトランスポートブロックおよびDL-SCHトランスポートブロックを送信し得る。基地局は、特定の制御情報または特定のサービスデータを除外したデータを、PDSCHを通じて送信し得る。さらに、UEは、PDSCHを通じて特定の制御情報または特定のサービスデータを除外したデータを受信し得る。
【００７３】
基地局は、PDCCHに、どのUE(1つまたは複数のUE)にPDSCHデータが送信されるか、および対応するUEによってPDSCHデータがどのように受信および復号されるべきかに関する情報を含み、PDCCHを送信し得る。たとえば、特定のPDCCH上で送信されるDCIが「A」のRNTIでCRCマスクされていると仮定され、DCIは、PDSCHが「B」の無線リソース(たとえば、周波数位置)に割り振られることを示し、「C」の送信フォーマット情報(たとえば、トランスポートブロックサイズ、変調方式、コーディング情報など)を示す。UEは、UEが有するRNTI情報を使用してPDCCHを監視する。この場合、「A」のRNTIを使用してPDCCHのブラインド復号を実行するUEが存在する場合、UEは、PDCCHを受信し、受信したPDCCH情報を通じて「B」および「C」によって示されるPDSCHを受信する。
【００７４】
表3は、ワイヤレス通信システムにおいて使用される物理アップリンク制御チャネル(PUCCH)の実施形態を示している。
【００７５】
【表３】
2021514147.tif 000007
【００７６】
PUCCHは、以下のUL制御情報(UCI)を送信するために使用され得る。
-  スケジューリング要求(SR):UL UL-SCHリソースを要求するために使用される情報。
-  HARQ-ACK:PDCCH(DL SPSリリースを示す)への応答および/またはPDSCHのDLトランスポートブロック(TB)への応答。HARQ-ACKは、PDCCHまたはPDSCHで送信された情報が受信されるかどうかを示す。HARQ-ACK応答は、ポジティブACK(単にACK)、ネガティブACK(以下、NACK)、不連続送信(DTX)、またはNACK/DTXを含む。ここで、HARQ-ACKという用語は、HARQ-ACK/NACKおよびACK/NACKと混合して使用される。一般に、ACKはビット値1で表され得、NACKはビット値0で表され得る。
-  チャネル状態情報(CSI):DLチャネルに関するフィードバック情報。UEは、基地局によって送信されたCSI-基準信号(RS)に基づいてそれを生成する。多入力多出力(MIMO)関連のフィードバック情報は、ランクインジケータ(RI)とプリコーディングマトリックスインジケータ(PMI)を含む。CSIは、CSIによって示される情報に従って、CSIパート1とCSIパート2に分割することができる。
【００７７】
3GPP NRシステムでは、様々なサービスシナリオ、様々なチャネル環境、およびフレーム構造をサポートするために、5つのPUCCHフォーマットが使用され得る。
【００７８】
PUCCHフォーマット0は、1ビットまたは2ビットのHARQ-ACK情報またはSRを配信することができるフォーマットである。PUCCHフォーマット0は、時間軸上の1つまたは2つのOFDMシンボル、周波数軸上の1つのPRBを通じて送信することができる。PUCCHフォーマット0が2つのOFDMシンボルにおいて送信される場合、2つのシンボル上の同じシーケンスが異なるRBを通じて送信され得る。この場合、シーケンスは、PUCCHフォーマット0において使用される基本シーケンスからのシーケンスサイクリックシフト(CS)であり得る。これを通じて、UEは、周波数ダイバーシティ利得を取得し得る。より詳細には、UEは、MbitビットUCI(Mbit=1または2)に従ってサイクリックシフト(CS)値mcsを決定し得る。また、あらかじめ定められたCS値mcsに基づくサイクリックシフトシーケンスを1つのOFDMシンボルおよび1つのRBの12個のREにマッピングすることによって、長さが12の基本シーケンスが送信され得る。UEにとって利用可能なサイクリックシフトの数が12であり、Mbit=1である場合、1ビットUCI 0および1は、サイクリックシフト値に6の差を有する2つのサイクリックシフトシーケンスにそれぞれマッピングされ得る。さらに、Mbit=2である場合、2ビットUCI00、01、11、および10は、サイクリックシフト値に3の差を有する4つのサイクリックシフトシーケンスにそれぞれマッピングされ得る。
【００７９】
PUCCHフォーマット1は、1ビットまたは2ビットのHARQ-ACK情報またはSRを配信し得る。PUCCHフォーマット1は、時間軸上の連続したOFDMシンボルおよび周波数軸上の1つのPRBを通じて送信され得る。ここで、PUCCHフォーマット1によって占有されるOFDMシンボルの数は、4から14のうちの1つであり得る。より具体的には、Mbit=1であるUCIは、BPSK変調され得る。UEは、直交位相シフトキーイング(QPSK)を用いて、Mbit=2であるUCIを変調し得る。信号は、変調された複素数値シンボルd(0)に長さ12のシーケンスを乗算することによって取得される。この場合、シーケンスは、PUCCHフォーマット0に使用される基本シーケンスであり得る。UEは、取得した信号を送信するために、PUCCHフォーマット1が割り振られた偶数番号のOFDMシンボルを、時間軸直交カバーコード(OCC)を通じて拡散する。PUCCHフォーマット1は、使用されるべきOCCの長さに従って、1つのRBにおいて多重化される異なるUEの最大数を決定する。復調基準信号(DMRS)はOCCを用いて拡散され、PUCCHフォーマット1の奇数番号のOFDMシンボルにマッピングされ得る。
【００８０】
PUCCHフォーマット2は、2ビットを超えるUCIを配信し得る。PUCCHフォーマット2は、時間軸上の1つまたは2つのOFDMシンボル、およびまたは周波数軸上の1つまたは複数のRBを通じて送信され得る。PUCCHフォーマット2が2つのOFDMシンボルにおいて送信される場合、2つのOFDMシンボルを通じて異なるRBにおいて送信されるシーケンスは、相互に同じであり得る。ここで、シーケンスは、複数の変調された複素数値シンボルd(0)、...、d(Msymbol-1)であり得る。ここで、MsymbolはMbit/2である。これを通じて、UEは、周波数ダイバーシティ利得を取得し得る。より具体的には、MbitビットUCI(Mbit>2)は、ビットレベルでスクランブルされ、QPSK変調され、1つまたは2つのOFDMシンボルのRBにマッピングされる。ここで、RBの数は、1から16のうちの1つであり得る。
【００８１】
PUCCHフォーマット3またはPUCCHフォーマット4は、2ビットを超えるUCIを配信し得る。PUCCHフォーマット3またはPUCCHフォーマット4は、時間軸上の連続するOFDMシンボルおよび周波数軸上の1つのPRBを通じて送信され得る。PUCCHフォーマット3またはPUCCHフォーマット4によって占有されるOFDMシンボルの数は、4から14のうちの1つであり得る。具体的には、UEは、複素数値のシンボルd(0)からd(Msymb-1)を生成するために、π/2-バイナリ位相シフトキーイング(BPSK)またはQPSKを使用してMbitビットUCI(Mbit>2)を変調する。ここで、π/2-BPSKを使用する場合、Msymb=Mbitであり、QPSKを使用する場合、Msymb=Mbit/2である。UEはブロック単位拡散をPUCCHフォーマット3に適用しない場合がある。しかしながら、UEは、PUCCHフォーマット4が2つまたは4つの多重化容量を有し得るように、長さが12のPreDFT-OCCを使用して、1つのRB(すなわち、12個のサブキャリア)にブロック単位拡散を適用し得る。UEは、拡散信号に対して送信プリコーディング(または、DFTプリコーディング)を実行し、拡散信号を送信するためにそれを各REにマッピングする。
【００８２】
この場合、PUCCHフォーマット2、PUCCHフォーマット3、またはPUCCHフォーマット4によって占有されるRBの数は、UEによって送信されたUCIの長さおよび最大コードレートに従って決定され得る。UEがPUCCHフォーマット2を使用する場合、UEは、PUCCHを通じてHARQ-ACK情報およびCSI情報を一緒に送信し得る。UEが送信し得るRBの数が、PUCCHフォーマット2、またはPUCCHフォーマット3、またはPUCCHフォーマット4が使用し得るRBの最大数よりも大きい場合、UEは、UCI情報の優先順位に従って一部のUCI情報を送信せずに、残りのUCI情報のみを送信し得る。
【００８３】
PUCCHフォーマット1、PUCCHフォーマット3、またはPUCCHフォーマット4は、RRC信号を通じてスロット内の周波数ホッピングを示すよう構成され得る。周波数ホッピングが構成されている場合、周波数ホッピングされるRBのインデックスは、RRC信号で構成され得る。PUCCHフォーマット1、PUCCHフォーマット3、またはPUCCHフォーマット4が時間軸上のN個のOFDMシンボルを通じて送信される場合、第1のホップは下限(N/2)のOFDMシンボルを有し得、第2のホップは上限(N/2)のOFDMシンボルを有し得る。
【００８４】
PUCCHフォーマット1、PUCCHフォーマット3、またはPUCCHフォーマット4は、複数のスロットにおいて繰り返し送信されるよう構成され得る。この場合、RRC信号により、PUCCHが繰り返し送信されるスロット数Kが構成され得る。繰り返し送信されるPUCCHは、各スロットにおける位置が一定のOFDMシンボルで始まり、長さが一定でなければならない。UEがPUCCHを送信するべきスロットのOFDMシンボル間の1つのOFDMシンボルがRRC信号によってDLシンボルとして示される場合、UEは、対応するスロットにおいてPUCCHを送信せず、PUCCHを送信するためにPUCCHの送信を次のスロットに遅延させ得る。
【００８５】
一方、3GPP NRシステムでは、UEは、キャリア(または、セル)の帯域幅以下の帯域幅を使用して送信/受信を実行し得る。このため、UEは、キャリアの帯域幅の一部の連続帯域幅で構成された帯域幅部分(BWP)を受信し得る。TDDに従って動作している、または不対スペクトルで動作しているUEは、1つのキャリア(またはセル)で最大4つのDL/UL BWPペアを受信することができる。さらに、UEは1つのDL/UL BWPペアをアクティブ化し得る。FDDに従って動作している、または対スペクトルで動作しているUEは、DLキャリア(または、セル)で最大4つのDL BWPを、ULキャリア(または、セル)で最大4つのUL BWPを受信することができる。UEは、キャリア(または、セル)ごとに1つのDL BWPおよび1つのUL BWPをアクティブ化し得る。UEは、アクティブ化されたBWP以外の時間周波数リソースにおいて受信または送信を実行しない場合がある。アクティブ化されたBWPは、アクティブBWPと呼ばれ得る。
【００８６】
基地局は、ダウンリンク制御情報(DCI)を通じて、UEによって構成されたBWP間のアクティブ化されたBWPを示し得る。DCIを通じて示されたBWPがアクティブ化され、構成されている他のBWPが非アクティブ化される。TDDで動作するキャリア(または、セル)では、基地局は、PDSCHまたはPUSCHをスケジューリングするためのDCIに、UEのDL/UL BWPペアを変更するためにアクティブ化されるBWPを示す帯域幅部分インジケータ(BPI)を含み得る。UEは、PDSCHまたはPUSCHをスケジューリングするためのDCIを受信し得、BPIに基づいてアクティブ化されたDL/UL BWPペアを識別し得る。FDDにおいて動作するDLキャリア(または、セル)の場合、基地局は、UEのDL BWPを変更するために、PDSCHをスケジューリングするためにDCIにおいてアクティブ化されるBWPを示すBPIを含み得る。FDDにおいて動作するULキャリア(または、セル)の場合、基地局は、UEのUL BWPを変更するために、PUSCHをスケジューリングするためにDCIにおいてアクティブ化されるBWPを示すBPIを含み得る。
【００８７】
図8は、キャリアアグリゲーションを示す概念図である。
【００８８】
キャリアアグリゲーションは、ワイヤレス通信システムがより広い周波数帯域を使用するために、UEがULリソース(または、コンポーネントキャリア)および/またはDLリソース(または、コンポーネントキャリア)で構成された複数の周波数ブロックまたはセル(論理的な意味で)を1つの大きな論理周波数帯域として使用する方法である。1つのコンポーネントキャリアは、プライマリセル(PCell)またはセカンダリセル(SCell)、あるいはプライマリSCell(PScell)という用語で呼ばれることもある。しかしながら、以下では、説明の便宜上、「コンポーネントキャリア」という用語が使用される。
【００８９】
図8を参照すると、3GPP NRシステムの例として、システム帯域全体が最大16個のコンポーネントキャリアを含み得、各コンポーネントキャリアは最大400MHzの帯域幅を有し得る。コンポーネントキャリアは、1つまたは複数の物理的に連続したサブキャリアを含み得る。図8にはコンポーネントキャリアの各々は同じ帯域幅を有すると示されているが、これは単なる例であり、各コンポーネントキャリアは異なる帯域幅を有し得る。また、各コンポーネントキャリアは周波数軸において相互に隣接しているように示されているが、図面は論理的な概念で示されており、各コンポーネントキャリアは相互に物理的に隣接していてもよく、離れていてもよい。
【００９０】
コンポーネントキャリアごとに異なる中心周波数が使用され得る。また、1つの共通の中心周波数が、物理的に隣接するコンポーネントキャリアにおいて使用され得る。図8の実施形態では、すべてのコンポーネントキャリアが物理的に隣接すると仮定し、中心周波数Aは、すべてのコンポーネントキャリアにおいて使用され得る。さらに、各コンポーネントキャリアが物理的に相互に隣接していないと仮定すると、コンポーネントキャリアの各々において中心周波数Aと中心周波数Bを使用することができる。
【００９１】
キャリアアグリゲーションによってシステム全体の帯域が拡張される場合、各UEとの通信に使用される周波数帯域をコンポーネントキャリア単位で定義することができる。UE Aは、合計システム帯域である100MHzを使用し、5つすべてのコンポーネントキャリアを使用して通信を実行し得る。UE B1〜B5は20MHzの帯域幅しか使用することができず、1つのコンポーネントキャリアを使用して通信を実行することができる。UE C1およびC2は、40MHz帯域幅を使用し、それぞれ2つのコンポーネントキャリアを使用して通信を実行し得る。2つのコンポーネントキャリアは、論理的/物理的に隣接していてもよく、または隣接していなくてもよい。UE C1は2つの隣接しないコンポーネントキャリアを使用する場合を表し、UE C2は2つの隣接するコンポーネントキャリアを使用する場合を表す。
【００９２】
図9は、信号キャリア通信およびマルチキャリア通信を説明するための図である。具体的には、図9Aはシングルキャリアサブフレーム構造を示し、図9Bは、マルチキャリアサブフレーム構造を示す。
【００９３】
図9Aを参照すると、FDDモードにおいて、一般的なワイヤレス通信システムは、1つのDL帯域とそれに対応する1つのUL帯域を通じてデータ送信または受信を実行し得る。他の特定の実施形態では、TDDモードにおいて、ワイヤレス通信システムは、無線フレームを時間領域においてUL時間単位とDL時間単位に分割し、UL/DL時間単位を通じてデータ送信または受信を実行し得る。図9Bを参照すると、60MHzの帯域幅をサポートすることができるように、3つの20MHzコンポーネントキャリア(CC)をULおよびDLの各々に集約することができる。各CCは、周波数領域において相互に隣接していてもよく、または隣接していなくてもよい。図9Bは、UL CCの帯域幅とDL CCの帯域幅が同じで対称であるが、各CCの帯域幅は独立して決定できる場合を示している。さらに、UL CCとDL CCの数が異なる非対称キャリアアグリゲーションが可能である。RRCを通じて特定のUEに割り振られ/構成されたDL/UL CCは、特定のUEのサービングDL/UL CCと呼ばれることがある。
【００９４】
基地局は、UEのサービングCCのいくつかまたはすべてをアクティブ化することによって、またはいくつかのCCを非アクティブ化することによって、UEとの通信を実行し得る。基地局は、アクティブ化/非アクティブ化されるCCを変更し、アクティブ化/非アクティブ化されるCCの数を変更することができる。基地局がUEで利用可能なCCをセル固有またはUE固有として割り振る場合、UEのCC割振りが完全に再構成されるか、UEがハンドオーバされない限り、割り振られたCCのうちの少なくとも1つを非アクティブ化することができる。UEによって非アクティブ化されない1つのCCはプライマリCC(PCC)またはプライマリセル(PCell)と呼ばれ、基地局が自由にアクティブ化/非アクティブ化できるCCはセカンダリCC(SCC)またはセカンダリセル(SCell)と呼ばれる。
【００９５】
一方、3GPP NRは無線リソースを管理するためにセルの概念を使用する。セルは、DLリソースとULリソースの組合せ、すなわちDL CCとUL CCの組合せとして定義される。セルは、DLリソースのみ、またはDLリソースとULリソースの組合せで構成され得る。キャリアアグリゲーションがサポートされている場合、システム情報によって、DLリソース(または、DL CC)のキャリア周波数とULリソース(または、UL CC)のキャリア周波数との間の連携が示され得る。キャリア周波数は、各セルまたはCCの中心周波数を指す。PCCに対応するセルはPCellと呼ばれ、SCCに対応するセルはSCellと呼ばれる。DLにおけるPCellに対応するキャリアはDL PCCであり、ULにおけるPCellに対応するキャリアはUL PCCである。同様に、DLにおけるSCellに対応するキャリアはDL SCCであり、ULにおけるSCellに対応するキャリアはUL SCCである。UEの能力に従って、サービングセルは1つのPCellと0個以上のSCellで構成され得る。RRC_CONNECTED状態にあるがキャリアアグリゲーション用に構成されていない、またはキャリアアグリゲーションをサポートしていないUEの場合、PCellのみで構成されたサービングセルは1つだけである。
【００９６】
上述のように、キャリアアグリゲーションにおいて使用される「セル」という用語は、通信サービスが1つの基地局または1つのアンテナグループによって提供される特定の地理的エリアを指す「セル」という用語と区別される。すなわち、1つのコンポーネントキャリアは、スケジューリングセル、スケジューリングされたセル、プライマリセル(PCell)、セカンダリセル(SCell)、またはプライマリSCell(PScell)と呼ばれることもある。しかしながら、特定の地理的エリアを参照するセルとキャリアアグリゲーションのセルとを区別するために、本開示では、キャリアアグリゲーションのセルはCCと呼ばれ、地理的エリアのセルと呼ばれる。
【００９７】
図10は、クロスキャリアスケジューリング技法が適用される例を示す図である。クロスキャリアスケジューリングが設定されている場合、第1のCCを通じて送信される制御チャネルは、キャリアインジケータフィールド(CIF)を使用して、第1のCCまたは第2のCCを通じて送信されるデータチャネルをスケジューリングし得る。CIFはDCIに含まれている。言い換えれば、スケジューリングセルが設定され、スケジューリングセルのPDCCH領域において送信されたDLグラント/ULグラントは、スケジューリングされたセルのPDSCH/PUSCHをスケジューリングする。すなわち、複数のコンポーネントキャリアの探索エリアはスケジューリングセルのPDCCHエリアに存在する。PCellは基本的にスケジューリングセルであり、特定のSCellは上位層によってスケジューリングセルとして指定され得る。
【００９８】
図10の実施形態では、3つのDL CCがマージされると仮定されている。ここで、DLコンポーネントキャリア#0は、DL PCC(または、PCell)であり、DLコンポーネントキャリア#1およびDLコンポーネントキャリア#2は、DL SCC(または、SCell)であると仮定される。さらに、DL PCCはPDCCHモニタリングCCに設定されているものと仮定される。クロスキャリアスケジューリングがUE固有(または、UEグループ固有またはセル固有)の上位層シグナリングによって構成されていない場合、CIFは無効になり、各DL CCは、NR PDCCHルール(非クロスキャリアスケジューリング、セルフキャリアスケジューリング)に従ってCIFなしでそのPDSCHをスケジューリングするためにPDCCHのみを送信することができる。一方、クロスキャリアスケジューリングがUE固有(またはUEグループ固有またはセル固有)の上位層シグナリングによって構成されている場合、CIFが有効になり、特定のCC(たとえば、DL PCC)は、CIFを使用してDL CC AのPDSCHをスケジューリングするためのPDCCHだけでなく、他のCCのPDSCHをスケジューリングする(クロスキャリアスケジューリング)ためのPDCCHも送信し得る。一方、PDCCHは、他のDL CCにおいて送信されない。したがって、UEは、クロスキャリアスケジューリングがUEに対して構成されているかどうかに応じて、セルフキャリアスケジュールPDSCHを受信するためにCIFを含まないPDCCHを監視するか、またはクロスキャリアスケジュールPDSCHを受信するためにCIFを含むPDCCHを監視する。
【００９９】
一方、図9および図10は、3GPP LTE-Aシステムのサブフレーム構造を示し、同じまたは類似の構成が3GPP NRシステムに適用され得る。しかしながら、3GPP NRシステムでは、図9および図10のサブフレームはスロットと置換され得る。
【０１００】
図11は、本開示の実施形態による、UEと基地局の構成を示すブロック図である。本開示の実施形態では、UEは、ポータブルおよびモバイルであることが保証されている様々なタイプのワイヤレス通信デバイスまたはコンピューティングデバイスで実装され得る。UEは、ユーザ機器(UE)、局(STA)、モバイル加入者(MS)などと呼ばれることがある。さらに、本発明の一実施形態では、基地局は、サービスエリアに対応するセル(たとえば、マクロセル、フェムトセル、ピコセルなど)を制御および管理し、信号送信、チャネル指定、チャネルモニタリング、自己診断、リレーなどの機能を実行する。基地局は、次世代ノードB(gNB)またはアクセスポイント(AP)と呼ばれることがある。
【０１０１】
図面に示すように、本開示の実施形態によるUE100は、プロセッサ110、通信モジュール120、メモリ130、ユーザインタフェース140、およびディスプレイユニット150を含み得る。
【０１０２】
第1に、プロセッサ110は、UE100内の様々な命令またはプログラムを実行し、データを処理し得る。さらに、プロセッサ110は、UE100の各ユニットを含む全体の動作を制御し、ユニット間のデータの送信/受信を制御し得る。ここで、プロセッサ110は、本開示で説明される実施形態による動作を実行するように構成され得る。たとえば、プロセッサ110は、スロット構成情報を受信することと、スロット構成情報に基づいてスロット構成を決定することと、決定されたスロット構成に従って通信を実行することとを行い得る。
【０１０３】
次に、通信モジュール120は、ワイヤレス通信ネットワークを使用するワイヤレス通信と、ワイヤレスLANを使用するワイヤレスLANアクセスとを実行する統合モジュールであり得る。このために、通信モジュール120は、セルラー通信インタフェースカード121および122などの複数のネットワークインタフェースカード(NIC)と、非ライセンス帯域の通信インタフェースカード123とを内部または外部の形態で含み得る。図面において、通信モジュール120は一体型の統合モジュールとして示されているが、図面とは異なり、各ネットワークインタフェースカードは、回路構成または用途に従って独立して配置することができる。
【０１０４】
セルラー通信インタフェースカード121は、モバイル通信ネットワークを使用することによって、基地局200、外部デバイス、およびサーバのうちの少なくとも1つと無線信号を送信または受信し、プロセッサ110からの命令に基づいて、第1の周波数帯域においてセルラー通信サービスを提供し得る。一実施形態によれば、セルラー通信インタフェースカード121は、6GHz未満の周波数帯域を使用する少なくとも1つのNICモジュールを含み得る。セルラー通信インタフェースカード121のうちの少なくとも1つのNICモジュールは、セルラー通信規格または対応するNICモジュールによってサポートされる6GHz未満の周波数帯域におけるプロトコルに従って、基地局200、外部デバイス、およびサーバのうちの少なくとも1つと独立してセルラー通信を実行し得る。
【０１０５】
セルラー通信インタフェースカード122は、モバイル通信ネットワークを使用することによって、基地局200、外部デバイス、およびサーバのうちの少なくとも1つと無線信号を送信または受信し、プロセッサ110からの命令に基づいて第2の周波数帯域においてセルラー通信サービスを提供し得る。一実施形態によれば、セルラー通信インタフェースカード122は、6GHzを上回る周波数帯域を使用する少なくとも1つのNICモジュールを含み得る。セルラー通信インタフェースカード122のうちの少なくとも1つのNICモジュールは、セルラー通信規格または対応するNICモジュールによってサポートされる6GHz以上の周波数帯域におけるプロトコルに従って、基地局200、外部デバイス、およびサーバのうちの少なくとも1つと独立してセルラー通信を実行し得る。
【０１０６】
非ライセンス通信インタフェースカード123は、非ライセンス帯域である第3の周波数帯域を使用することによって、基地局200、外部デバイス、およびサーバのうちの少なくとも1つと無線信号を送信または受信し、プロセッサ110からの命令に基づいて、非ライセンス帯域通信サービスを提供する。非ライセンス帯域通信インタフェースカード123は、非ライセンス帯域を使用する少なくとも1つのNICモジュールを含み得る。たとえば、非ライセンス帯域は、2.4GHzまたは5GHzの帯域であり得る。非ライセンス帯域通信インタフェースカード123の少なくとも1つのNICモジュールは、対応するNICモジュールによってサポートされる周波数帯域の非ライセンス帯域通信規格またはプロトコルに従って、基地局200、外部デバイス、およびサーバのうちの少なくとも1つと独立してまたは依存してワイヤレス通信を実行し得る。
【０１０７】
メモリ130は、UE100において使用される制御プログラム、およびその各種データを記憶する。そのような制御プログラムは、基地局200、外部デバイス、およびサーバのうちの少なくとも1つとワイヤレス通信を実行するために必要な所定のプログラムを含み得る。
【０１０８】
次に、ユーザインタフェース140は、UE100において提供される各種入力/出力手段を含む。言い換えれば、ユーザインタフェース140は、様々な入力手段を使用してユーザ入力を受信し得、プロセッサ110は、受信したユーザ入力に基づいてUE100を制御し得る。さらに、ユーザインタフェース140は、各種の出力手段を使用して、プロセッサ110からの命令に基づいた出力を実行し得る。
【０１０９】
次に、ディスプレイユニット150は、ディスプレイ画面に様々な画像を出力する。ディスプレイユニット150は、プロセッサ110からの制御命令に基づいて、プロセッサ110によって実行されるコンテンツやユーザインタフェースなどの様々なディスプレイオブジェクトを出力し得る。
【０１１０】
さらに、本開示の実施形態による基地局200は、プロセッサ210、通信モジュール220、およびメモリ230を含み得る。
【０１１１】
第1に、プロセッサ210は、様々な命令またはプログラムを実行し、基地局200の内部データを処理し得る。さらに、プロセッサ210は、基地局200内のユニットの動作全体を制御し、ユニット間のデータ送信および受信を制御し得る。ここで、プロセッサ210は、本開示で説明される実施形態による動作を実行するように構成され得る。たとえば、プロセッサ210は、スロット構成をシグナリングし、シグナリングされたスロット構成に従って通信を実行し得る。
【０１１２】
次に、通信モジュール220は、ワイヤレス通信ネットワークを使用するワイヤレス通信と、ワイヤレスLANを使用するワイヤレスLANアクセスとを実行する統合モジュールであり得る。このために、通信モジュール120は、セルラー通信インタフェースカード221および222などの複数のネットワークインタフェースカードと、非ライセンス帯域の通信インタフェースカード223とを内部または外部の形態で含み得る。図面において、通信モジュール220は一体型の統合モジュールとして示されているが、図面とは異なり、各ネットワークインタフェースカードは、回路構成または用途に従って独立して配置することができる。
【０１１３】
セルラー通信インタフェースカード221は、モバイル通信ネットワークを使用することによって、基地局100、外部デバイス、およびサーバのうちの少なくとも1つと無線信号を送信または受信し、プロセッサ210からの命令に基づいて、第1の周波数帯域においてセルラー通信サービスを提供し得る。一実施形態によれば、セルラー通信インタフェースカード221は、6GHz未満の周波数帯域を使用する少なくとも1つのNICモジュールを含み得る。セルラー通信インタフェースカード221のうちの少なくとも1つのNICモジュールは、セルラー通信規格または対応するNICモジュールによってサポートされる6GHz未満の周波数帯域におけるプロトコルに従って、基地局100、外部デバイス、およびサーバのうちの少なくとも1つと独立してセルラー通信を実行し得る。
【０１１４】
セルラー通信インタフェースカード222は、モバイル通信ネットワークを使用することによって、基地局100、外部デバイス、およびサーバのうちの少なくとも1つと無線信号を送信または受信し、プロセッサ210からの命令に基づいて、第2の周波数帯域においてセルラー通信サービスを提供し得る。一実施形態によれば、セルラー通信インタフェースカード222は、6GHz以上の周波数帯域を使用する少なくとも1つのNICモジュールを含み得る。セルラー通信インタフェースカード222のうちの少なくとも1つのNICモジュールは、セルラー通信規格または対応するNICモジュールによってサポートされる6GHz以上の周波数帯域におけるプロトコルに従って、基地局100、外部デバイス、およびサーバのうちの少なくとも1つと独立してセルラー通信を実行し得る。
【０１１５】
非ライセンス帯域通信インタフェースカード223は、非ライセンス帯域である第3の周波数帯域を使用することによって、基地局100、外部デバイス、およびサーバのうちの少なくとも1つと無線信号を送信または受信し、プロセッサ210からの命令に基づいて非ライセンス帯域通信サービスを提供する。非ライセンス帯域通信インタフェースカード223は、非ライセンス帯域を使用する少なくとも1つのNICモジュールを含み得る。たとえば、非ライセンス帯域は、2.4GHzまたは5GHzの帯域であり得る。非ライセンス帯域通信インタフェースカード223の少なくとも1つのNICモジュールは、対応するNICモジュールによってサポートされる周波数帯域の非ライセンス帯域通信規格またはプロトコルに従って、基地局100、外部デバイス、およびサーバのうちの少なくとも1つと独立してまたは依存してワイヤレス通信を実行し得る。
【０１１６】
図11は、本開示の一実施形態によるUE100および基地局200を示すブロック図であり、別々に示されるブロックは、デバイスの論理的に分割された要素である。したがって、デバイスの前述の要素は、デバイスの設計に従って単一のチップまたは複数のチップに搭載され得る。さらに、UE100の構成の一部、たとえば、ユーザインタフェース140、ディスプレイユニット150等は、UE100において選択的に設けられ得る。さらに、ユーザインタフェース140、ディスプレイユニット150などは、必要に応じて、基地局200に追加で設けられ得る。
【０１１７】
ダウンリンク割当てインデックス(DAI)は、複数のPDSCHがユーザ機器によって基地局に成功したか否かを示す、ハイブリッド自動再送要求(HARQ)-ACKコードブックに含まれるHARQ-ACKの数に関する情報を示す。ユーザ機器は、PDSCHをスケジューリングするPDCCHを通じてDAIを受信し得る。具体的には、DAIは、カウンタDAIおよび合計DAIに分割され得る。合計DAIは、同じHARQ-ACKコードブックを通じて送信されるPDSCHの数を示す。カウンタDAIは、同じ合計DAIによって示されるPDSCHのうち、どのPDSCHかを示す。PDSCHをスケジューリングするDCIは、スケジューリングされるPDSCHに対応するカウンタDAIの値を含み得る。また、PDSCHをスケジューリングするDCIは、スケジューリングされるPDSCHに対応する合計DAIの値を含み得る。
【０１１８】
図12は、本発明の実施形態による各コンポーネントキャリアにマッピングされたダウンリンク割当てインデックス(DAI)の値を示している。
【０１１９】
図12において、各PDSCHをスケジューリングするPDCCHは、カウンタDAI(counter-DAI)および合計DAI(total-DAI)を含む。カウンタDAIは、前回のモニタリング機会においてスケジューリングされたPDSCHの累積数、および現在のモニタリング機会において第1のコンポーネントキャリアCC#1から対応するコンポーネントキャリアにスケジューリングされたPDSCHを示す。モニタリング機会は、時間軸上でDCIが受信される時間間隔を指す。さらに、合計DAIは、現在のモニタリング機会までのすべてのコンポーネントキャリア上にスケジューリングされたPDSCHの総数を示す。ユーザ機器は、対応するPDCCHによってスケジューリングされたPDSCHがPDCCHを復号することによって送信される順序を決定し得る。この場合、ユーザ機器は、対応するPDSCHが送信される順序に従って、PDSCHのHARQ-ACKを送信し得る。
【０１２０】
図12を参照すると、基地局は、第1のコンポーネントキャリアCC#1、第2のコンポーネントキャリアCC#2、第4のコンポーネントキャリアCC#4、第5のコンポーネントキャリアCC#5、第6のコンポーネントキャリアCC#6、および第8のコンポーネントキャリアCC#8を通じてPDSCHを最大8つのコンポーネントキャリアに集約することによって使用することができるユーザ機器に送信し得る。コンポーネントキャリア上にスケジューリングされるPDSCHの総数は6であるため、合計DAIの値は5に設定される。したがって、第1のコンポーネントキャリアCC#1、第2のコンポーネントキャリアCC#2、第4のコンポーネントキャリアCC#4、第5のコンポーネントキャリアCC#5、第6のコンポーネントキャリアCC#6、第8のコンポーネントキャリアCC#8などのコンポーネントキャリアの(カウンタDAI、合計DAI)値は、それぞれ(0、5)、(1、5)、(2、5)、(3、5)、(4、5)、および(5、5)に設定される。ユーザ機器が、第4のコンポーネントキャリアCC#3を通じて送信されたPDCCHを受信できない場合、ユーザ機器は、第2のコンポーネントキャリアCC#2を通じて送信されたPDCCHのカウンタDAIの値と、第5のコンポーネントキャリアCC#4を通じて送信されたPDCCHのカウンタDAIの値に基づいて、1つのPDCCHの受信(および、それに対応する1つのPDSCHの受信)ができないと決定し得る。また、ユーザ機器が、第8のコンポーネントキャリアCC#7を通じて送信されたPDCCHの復号できない場合、ユーザ機器は、第6のコンポーネントキャリアCC#5の後に1つのPDSCHがスケジューリングされているが、第6のコンポーネントキャリアCC#5を通じて送信されたPDCCHのカウンタDAIの値および合計DAIの値に基づいて正常に受信されないことを決定し得る。
【０１２１】
本発明では、カウンタDAIと合計DAIの両方を含むDCIはDCIフォーマットAと呼ばれる。さらに、カウンタDAIを含み、合計DAIを含まないDCIは、DCIフォーマットBと呼ばれる。含まれるDAIはDCIフォーマットによって異なるため、基地局とユーザ機器は、ACK/NACKがHARQ-ACKコードブックを通じて示されるPDSCHについて混乱する可能性がある。したがって、これを防ぐための方法が必要になる場合がある。合計DAIおよびカウンタDAIを構成するための方法を、図13および図14を参照して説明する。
【０１２２】
合計DAIおよびカウンタDAIの各々は、2ビットのフィールドによって示され得る。しかしながら、本発明の実施形態は、たとえ合計DAIおよびカウンタDAIの各々が2ビットフィールドとは異なるサイズのフィールドによって示される場合でも適用することができる。さらに、本発明の実施形態は、TBベースのPDSCH送信上でHARQ-ACK情報を送信する実施形態を通じて説明される。以下の説明において、特に指定がない限り、PDSCHは1TBを含むと仮定する。さらに、後述する実施形態では、1回のモニタリング機会においてDCIが複数のコンポーネントキャリアを通じて送信されると仮定する。モニタリング機会は、時間軸上でDCIを受信するための時間間隔である。いずれかのDCIに合計DAI値が含まれている場合、対応するDCIが送信されるモニタリング機会において送信される合計DAIの値は、対応するDCIの合計DAIの値と同じである必要がある。さらに、合計DAIの値は、モニタリング機会のたびに最新の値に更新され得る。
【０１２３】
図13は、本発明の実施形態による基地局からユーザ機器に送信されるDCIによって示されるDAI値を示している。
【０１２４】
本発明の一実施形態では、基地局は、DCIフォーマットに関係なく、カウンタDAIの値および合計DAIの値を決定し得る。基地局は、カウンタDAIの値を、同じ合計DAIに対応し、TBに基づいて第1のコンポーネントキャリアから現在のコンポーネントキャリアに送信されるPDSCHの数に設定し得る。さらに、基地局は、合計DAIの値を、合計DAIに対応し、TBに基づいて送信されるPDSCHの数に設定し得る。たとえば、図12の(a)では、3つのDCIフォーマットA送信および2つのDCIフォーマットB送信が、8つのコンポーネントキャリア上にスケジューリングされる。基地局は、第1のコンポーネントキャリアCC#1を通じて送信されるDCIフォーマットAのカウンタDAIおよび合計DAIの値をそれぞれ1および5に設定する。さらに、基地局は、第2のコンポーネントキャリアCC#2を通じて送信されるDCIフォーマットBのカウンタDAIの値を2に設定する。さらに、基地局は、第4のコンポーネントキャリアCC#4を通じて送信されるDCIフォーマットAのカウンタDAIおよび合計DAIの値をそれぞれ3および5に設定する。さらに、基地局は、第2のコンポーネントキャリアCC#6を通じて送信されるDCIフォーマットBのカウンタDAIの値を4に設定する。さらに、基地局は、第7のコンポーネントキャリアCC#7を通じて送信されるDCIフォーマットAのカウンタDAIおよび合計DAIの値をそれぞれ5に設定する。この実施形態では、ユーザ機器がすべてのDCIフォーマットAを受信できない場合、ユーザ機器は、たとえユーザ機器がすべてのDCIフォーマットBを受信しても、合計DAIを決定することができない。たとえば、図13の(a)において、ユーザ機器がすべてのDCIフォーマットAを受信できず、ユーザ機器がすべてのDCIフォーマットBを受信した場合、ユーザ機器は、生成されたHARQ-ACKコードブックを、PDCCHを通じて基地局に送信するために、4ビットHARQ-ACKコードブックを生成し得る。基地局は5ビットのHARQ-ACKコードブックを受信することを期待しているので、基地局は、ユーザ機器によって送信されたHARQ-ACKコードブックを受信できない可能性が高い。
【０１２５】
他の特定の実施形態では、基地局は、DCIフォーマットに従って異なる方法でカウンタDAIの値を設定し得る。1つのモニタリング機会内で、DCIフォーマットAのカウンタDAIに第1にインデックスが付けられ、DCIフォーマットBのカウンタDAIにインデックスが付けられる。具体的には、DCIフォーマットAのカウンタDAIは、前回のモニタリング機会までに送信されたDCIフォーマットAとDCIフォーマットB、および現在のモニタリング機会において対応するコンポーネントキャリアに送信されたDCIフォーマットAの数を示す。DCIフォーマットBのカウンタDAIは、対応するモニタリング機会までに送信されたDCIフォーマットAとDCIフォーマットB、現在のモニタリング機会のすべてのDCIフォーマットA、および現在のモニタリング機会の対応するコンポーネントキャリアまで含まれるDCIフォーマットBの数を示す。DCIフォーマットAの合計DAIは、現在のモニタリング機会までに送信されたDCIフォーマットAとDCIフォーマットBの数を示す。基地局は、モニタリング機会においてDCIフォーマットAの合計DAIに1を加えることによって取得される値から、DCIフォーマットBのカウンタDAIの値を示し得る。この場合、DCIフォーマットBのカウンタDAIの値は、コンポーネントキャリアの順序に基づいて1ずつ増分することによって計算される。すなわち、基地局は、DCIフォーマットBのカウンタDAIの値を、第1のコンポーネントキャリアから対応するDCIフォーマットBを送信するコンポーネントキャリアまでのDCIフォーマットBの数にDCIフォーマットAの総数を加えることによって取得された値に設定し得る。さらに、基地局は、コンポーネントキャリアの順序に従って、1からDCIフォーマットAのカウンタDAIの値を計算する。すなわち、基地局は、カウンタDAIの値を、第1のコンポーネントキャリアから対応するDCIフォーマットAを送信するコンポーネントキャリアまでのDCIフォーマットAの数に設定することができる。上記の説明において、DCIフォーマットAの総数は、現在のモニタリング機会までに送信されたDCIフォーマットAの数を示す。
【０１２６】
たとえば、図13の(b)において、3つのDCIフォーマットA送信および2つのDCIフォーマットB送信が8つのコンポーネントキャリア上にスケジューリングされる。第1のコンポーネントキャリアCC#1は、最も進んだ位置にあるコンポーネントキャリアである。現在のモニタリング機会に5つのPDSCHをスケジューリングするDCIが送信されるため、合計DAIの値は5である。基地局は、DCIフォーマットAの最低周波数帯に対応するコンポーネントキャリアである第1のコンポーネントキャリアCC#1を通じて送信されるDCIフォーマットAのカウンタDAIの値を1に設定する。基地局は、DCIフォーマットAの第2に低い周波数帯域に対応するコンポーネントキャリアである第4のコンポーネントキャリアCC#4を通じて送信されるDCIフォーマットAのカウンタDAIの値を2に設定する。基地局は、DCIフォーマットAの第3に低い周波数帯域に対応するコンポーネントキャリアである第7のコンポーネントキャリアCC#7を通じて送信されるDCIフォーマットAのカウンタDAIの値を3に設定する。基地局は、DCIフォーマットBの最低周波数帯域に対応するコンポーネントキャリアである第2のコンポーネントキャリアCC#2を通じて送信されるDCIフォーマットBのカウンタDAIの値を4に設定する。3つのDCIフォーマットAが送信されるため、カウンタDAIの値は4に設定される。基地局は、DCIフォーマットBの第2に低い周波数帯域に対応するコンポーネントキャリアである第6のコンポーネントキャリアCC#6を通じて送信されるDCIフォーマットBのカウンタDAIの値を5に設定する。この実施形態では、たとえユーザ機器がすべてのDCIフォーマットAを受信できず、またユーザ機器がすべてのDCIフォーマットBを受信できない場合でも、ユーザ機器が少なくとも1つのDCIフォーマットAを受信すると、ユーザ機器は、合計DAIの値を取得することができる。さらに、たとえユーザ機器がすべてのDCIフォーマットAを受信できない場合でも、ユーザ機器が最後のDCIフォーマットBを受信すると、ユーザ機器は最後のDCIフォーマットBのカウンタDAIに基づいて合計DAIの値を決定することができる。特定の実施形態では、ユーザ機器は、最後のコンポーネントキャリアにおいて受信されたカウンタDAIを合計DAIとして決定し得る。たとえば、図12の(b)において、ユーザ機器がすべてのDCIフォーマットAを受信できず、ユーザ機器が最後のDCIフォーマットBを受信すると、ユーザ機器は、最後のDCIフォーマットBのカウンタDAIの値である5を合計DAIとして決定し得る。したがって、ユーザ機器は、5ビットのHARQ-ACKコードブックを生成し、生成されたHARQ-ACKコードブックを、PUCCHを通じて基地局に送信し得る。基地局は5ビットのHARQ-ACKコードブックを受信することを期待しているので、基地局は、ユーザ機器によって送信されたHARQ-ACKコードブックを受信することができる。
【０１２７】
図14は、本発明の実施形態によるユーザ機器がHARQ-ACKコードブックを生成する動作を示している。
【０１２８】
ユーザ機器は、コンポーネントキャリアごとにPDSCHをスケジューリングするDCIフォーマットAが1回のモニタリング機会において送信されるかどうかを決定する。ユーザ機器がPDSCHをスケジューリングするDCIフォーマットAが送信されるコンポーネントキャリアを見つけると、ユーザ機器は、カウンタDAIの値およびDCIの合計DAIに基づいてHARQ-ACKコードブックを生成し得る(S1401)。ユーザ機器は、1回のモニタリング機会において使用されるすべてのコンポーネントキャリアに対してこの動作を行い得る。特定の実施形態では、ユーザ機器は、最低のインデックスを有するコンポーネントキャリアからインデックス値を1だけ増加させ、DCIフォーマットAスケジューリングPDSCHがコンポーネントキャリアごとに送信されるかどうかを決定する。
【０１２９】
ユーザ機器は、コンポーネントキャリアごとにPDSCHをスケジューリングするDCIフォーマットBが1回のモニタリング機会において送信されるかどうかを決定する。ユーザ機器がPDSCHをスケジューリングするDCIフォーマットBが送信されるコンポーネントキャリアを見つけると、ユーザ機器は、対応するDCIのカウンタDAIの値に基づいてHARQ-ACKコードブックを生成し得る(S1403)。ユーザ機器は、1回のモニタリング機会において使用されるすべてのコンポーネントキャリアに対してこの動作を行い得る。特定の実施形態では、ユーザ機器は、最低のインデックスを有するコンポーネントキャリアからインデックス値を1だけ増加し得、DCIフォーマットBスケジューリングPDSCHがコンポーネントキャリアごとに送信されるかどうかを決定し得る。ユーザ機器が前のステップ(S1401)においてDCIフォーマットAを受信するとき、ユーザ機器はDCIフォーマットAによって示される合計DAIの値を使用してHARQ-ACKコードブックを生成し得る。ユーザ機器が前のステップ(S1401)においてDCIフォーマットAを受信しないならば、ユーザ機器は、ユーザ機器によって発見されたDCIフォーマットBによって示されるカウンタDAIの値の最大値に基づいてHARQ-ACKコードブックを生成し得る。ユーザ機器は、新しいモニタリング機会ごとに上記の2つのステップ(S1401およびS1403)の動作を行い得る。
【０１３０】
ユーザ機器は、HARQ-ACKコードブックを送信するために、PUSCH上でHARQ-ACKコードブックをピギーバックし得る。このために、DCIスケジューリングPUSCHは合計DAIの値を示し得る。基地局によってすべてのコンポーネントキャリアにおいてCBGベースの送信が構成されていないならば、合計DAIは2ビットのフィールドで示され得る。基地局によって少なくとも1つのコンポーネントキャリア上にCBG受信が構成されているとき、合計DAIは4ビットフィールドによって示され得る。この場合、第1の2ビットはTBベースの送信の合計DAIの値を示し得、残りの2ビットはCBGベースの送信の合計DAI値の値を示し得る。ユーザ機器が合計DAIを含むPUSCHを受信するとき、ユーザ機器は、対応するPUSCHの合計DAIの値を使用してHARQ-ACKコードブックを生成し得る。
【０１３１】
ユーザ機器は、PUSCHを通じてHARQ-ACKコードブックを送信しない場合がある。すなわち、ユーザ機器は、0ビットのHARQ-ACKコードブックを生成することができる。CBGベースの送信が基地局によってすべてのコンポーネントキャリアにおいて構成されていないならば、合計DAIの値は特定の値として示され、ユーザ機器はモニタリング機会においてPDSCHをスケジューリングする任意のDCIを受信しておらず、ユーザ機器は、PUSCHを通じてHARQ-ACKコードブックを送信しない場合がある。さらに、CBGベースの送信が基地局によって少なくとも1つのコンポーネントキャリアにおいて構成されているならば、合計DAIの値は特定の値として示され、ユーザ機器はモニタリング機会においてPDSCHをスケジューリングする任意のDCI受信しておらず、ユーザ機器はPUSCHを通じてHARQ-ACKコードブックを送信しない場合がある。上記の実施形態では、合計DAIの特定の値は4であり得る。この場合、合計DAIフィールドの値は11bであり得る。
【０１３２】
さらに、TBベースの送信が基地局によって少なくとも1つのコンポーネントキャリアで構成されているとき、第1の2ビットの合計DAI値は特定の値に設定され、ユーザ機器はモニタリング機会においてTBベースのPDSCHをスケジューリングする任意のDCIを受信しておらず、ユーザ機器は、PUSCHを通じてTBベースの送信のHARQ-ACKサブコードブックを送信しない場合がある。この場合、第1の2ビットの特定の値は4であり得る。この場合、合計DAIフィールドの値は11bであり得る。さらに、CBGベースの送信が基地局によって少なくとも1つのコンポーネントキャリアで構成されているとき、最後の2ビットの合計DAI値は特定の値に設定され、ユーザ機器はモニタリング機会においてCBGベースのPDSCHをスケジューリングする任意のDCIを受信しておらず、ユーザ機器は、PUSCHを通じてCBGベースの送信のHARQ-ACKサブコードブックを送信しない場合がある。この場合、最後の2ビットの特定の値は4であり得る。この場合、合計DAIフィールドの値は11bであり得る。
【０１３３】
NRワイヤレス通信システムにおいて、ユーザ機器は、半静的HARQ-ACKコードブックを使用してHARQ-ACK情報を送信し得る。半静的HARQ-ACKコードブックが使用される場合、基地局は、RRC信号を使用して、どのPDSCHのACK/NACKかを示すために、HARQ-ACKコードブックの長さとHARQ-ACKコードブックの各ビットを構成し得る。したがって、HARQ-ACKコードブック送信が要求される場合はいつでも、基地局がHARQ-ACKコードブック送信に必要な情報をシグナリングする必要はない。ACK/NACKが半静的HARQ-ACKコードブックによって示されるPDSCHのセットは、PDSCH候補のセットと呼ばれる。以下、図15から図25を参照して、ユーザ機器がPDSCH候補セットを決定するための方法について説明する。
【０１３４】
ユーザ機器は、基地局からシグナリングされる情報に基づいて、PDSCH候補のセットを決定する。この場合、基地局からシグナリングされる情報は、K1を含み得る。K1は、PUCCHが送信されるスロットと、PDSCHが受信またはスケジューリングされる最後のスロットとの差を示す。フォールバックDCIは、1から8のK1値を示し得る。非フォールバックDCIは、RRC信号によって構成された最大8つの値のうちの1つをK1値として示し得る。さらに、基地局からシグナリングされる情報は、K0と、PDSCHの開始シンボルとPDSCHの長さとの組合せを含み得る。この場合、K0は、PDCCHが受信されるスロットと、対応するPDCCHによりスケジューリングされたPDSCHが送信されるスロットとの差を示す。また、PDSCHの開始シンボルとPDSCHの長さとの組合せは、開始および長さインジケータ値(SLIV)フォーマットで符号化され得る。基地局は、最大16個のK0値と、PDSCH開始シンボルと長さとの組合せをシグナリングし得る。ユーザ機器は、PDSCHをスケジューリングするDCIにおいて16個の組合せのうちの1つの組合せを取得し得る。ユーザ機器は、DCIによって示されるK0値ならびにPDSCH開始シンボルおよび長さから、PDSCHが受信される時間領域に関する情報を取得し得る。
【０１３５】
さらに、基地局からシグナリングされる情報は、半静的DL/UL構成を含み得る。半静的DL/UL構成は、セル固有RRC信号またはUE固有RRC信号を通じて構成されたスロットのシンボル構成情報を示す。具体的には、半静的DL/UL構成は、スロットに含まれる各シンボルが、DLシンボル、ULシンボル、またはフレキシブルシンボルのいずれであるかを示し得る。ユーザ機器は、PDSCHが割り振られるシンボルのいずれか1つがULシンボルに対応するかどうかに基づいて、PDSCH候補のセットを決定し得る。これは、ULシンボルに対応するシンボルにおいてはPDSCHを受信できないためである。特定の実施形態では、PDSCHが割り振られるシンボルのいずれか1つがULシンボルに対応する場合、ユーザ機器は、PDSCHをPDSCH候補セットに含まない場合がある。PDSCHが割り振られるすべてのシンボルがULシンボルに対応しない場合、ユーザ機器は、対応するPDSCHをPDSCH候補セットに含み得る。これについては、図15を参照して詳細に説明する。
【０１３６】
さらに、基地局からシグナリングされる情報は、CORESETおよび探索空間の構成に関する情報を含み得る。CORESETおよび探索空間のセットに関する情報は、どのスロットのどの位置でPDCCHを受信できるかを示し得る。
【０１３７】
また、基地局からシグナリングされる情報は、PDSCH反復値を含み得る。基地局は、スロットごとにPDSCHを受信している間に、PDSCH反復値によって示される回数だけ同じPDSCHを受信し得る。この場合、ユーザ機器は、各スロット内の同じシンボル位置においてPDSCHの受信を開始し得る。さらに、ユーザ機器は、各スロットにおいて同じ長さを使用してPDSCHを受信し得る。基地局は、RRC信号を使用して、PDSCH反復値を1、2、4、および8のいずれかに設定し得る。PDSCH反復の値が1よりも大きい場合、スロットアグリゲーションの使用と呼ばれることがある。PDSCHの繰返し受信が複数のスロットにおいて繰り返されるように構成されている場合、ユーザ機器は、PDSCHをPDSCH候補セットに含めるための条件が満たされるかどうかを、PDSCHが受信されるすべてのスロットにおいてPDSCH受信が利用可能であるかどうかに基づいて決定し得る。具体的には、ユーザ機器が、すべてのスロットにおいてPDSCH受信が利用不可能であると決定する場合、PDSCHが繰り返し受信されることを示す。ユーザ機器は、PDSCHをPDSCH候補セットに含まない場合がある。他の実施形態では、PDSCH受信が、PDSCH受信として示されるスロットの少なくとも1つにおいて利用可能である場合、ユーザ機器は、対応するPDSCHをPDSCH候補セットに含み得る。これに関する実施形態を図23以降の内容を通じて詳細に説明する。
【０１３８】
図15は、本発明の実施形態によるユーザ機器がPDSCH候補セットを決定する動作を示している。
【０１３９】
ユーザ機器は、SLIVによって示されるPDSCH候補が複数のK1値の各々およびK0に対して有効であるかどうかに基づいて、K1値の各々、ならびにK0およびSLIVによって示されるPDSCH候補の組合せをPDSCH候補セットに含める(S1501)。複数のK1値の各々およびK0について、SLIVによって示されるPDSCH候補が有効であるかどうかが決定され得る。対応するK1値、K0、およびSLIVによって示されるPDSCH候補の組合せが有効である場合、ユーザ機器は、対応するK1値、K0、およびSLIVによって示されるPDSCH候補の組合せをPDSCH候補セットに含み得る。説明の便宜上、PUCCHが送信されるスロットはn番目のスロットと呼ばれる。(n-K1)番目のスロット、(n-K1-1)番目のスロット、…および(n-K1-(Nrep-1))番目のスロットのすべてに関して、SLIVによってPDSCHが割り振られているシンボルとして示されているシンボルのいずれか1つが、対応するスロットにおけるULシンボルに対応する場合、ユーザ機器は、SLIVによって示されるPDSCH候補が対応するK1値およびK0に対して有効ではないと決定し得る。この場合、Nrepは、PDSCHが繰り返されて受信されるスロットの数を示す。上述のように、NrepはRRC信号を通じて構成することができる。さらに、PDSCH繰返しが使用されない場合、それはNrep=1である場合がある。この場合、(n-K1)番目のスロットにおいてPDSCHが割り振られるシンボルとしてSLIVによって示されるシンボルのいずれかがULシンボルに対応する場合、ユーザ機器は、SLIVによって示されるPDSCH候補が対応するK1値およびK0に対して有効ではないと決定し得る。さらに、探索空間が(n-K1-(Nrep-1)-K0)番目のスロットに存在しない場合、ユーザ機器は、SLIVによって示されるPDSCH候補が対応するK1値およびK0に対して有効ではないと決定し得る。上述のように、PDSCH繰返しが使用されない場合、それはNrep=1である場合がある。具体的には、SLIVによってPDSCHが割り振られるシンボルとして示されるすべてのシンボルが、(n-K1)番目のスロットのいずれか1つのスロットのULシンボルに対応しない場合、(n-K1-1)番目のスロット、…および(n-K1-(Nrep-1))番目のスロット、ならびに探索空間が(n-K1-(Nrep-1)-K0)番目のスロットに存在する場合、ユーザ機器は、SLIVによって示されるPDSCH候補が、対応するK1値およびK0に対して有効であると決定し得る。SLIV値によって示されるPDSCH候補が無効であるとユーザ機器が決定した場合、ユーザ機器は、対応するK1値、K0、およびSLIVによって示されるPDSCH候補の組合せをPDSCH候補セットに含まない場合がある。具体的には、PDSCH候補が有効であるかどうかをユーザ機器が決定する具体的な方法について、図16から図18を参照して説明する。
【０１４０】
図16は、PDSCH候補セットに、K1およびK0に従って本発明の実施形態によるユーザ機器にシグナリングされたSLIVによって示されるPDSCH候補を含むかどうかの決定を示している。
【０１４１】
図16の実施形態では、(n-K1)番目のスロット、(n-K1-1)番目のスロット、…および(n-K1-(Nrep-1))番目のスロットのすべてに関して、対応するスロットにおいて、PDSCHが割り振られるSLIVによって示されるシンボルのいずれか1つがULシンボルに対応する。したがって、ユーザ機器は、対応するK1値とK0のSLIVによって示されるPDSCH候補は無効であると決定する。ユーザ機器は、K1値、K0、およびSLIVによって示されるPDSCH候補の組合せをPDSCH候補セットに含まない。
【０１４２】
再び、図15について説明する。
【０１４３】
ユーザ機器は、PDSCH候補セットに含まれるK1値、K0、およびSLIVの組合せのPDSCH候補、ならびにPDSCH候補セットに含まれる他のK1値、K0、およびSLIVの組合せのPDSCH候補が、任意の1つのスロットの少なくとも1つのシンボルにおいて重複するかどうかに基づいて、2つの組合せを1つの組合せに組み合わせる(S1503)。ユーザ機器は、PDSCH候補セットに含まれるK1値、K0、およびSLIVの組合せのPDSCH候補、ならびにPDSCH候補セットに含まれる他のK1値、K0、およびSLIVの組合せのPDSCH候補が、任意の1つのスロットの少なくとも1つのシンボルにおいて重複するかどうかを決定し得る。PDSCH候補セットに含まれるK1値、K0、およびSLIVの組合せのPDSCH候補、ならびにPDSCH候補セットに含まれる他のK1値、K0、およびSLIVの組合せのPDSCH候補が、任意の1つのスロットの少なくとも1つのシンボルにおいて重複する場合、ユーザ機器は、2つの組合せを1つの組合せに組み合わせることができる。特定の実施形態では、PDSCH候補セットがN個の組合せを含む場合、ユーザ機器は、n番目の組合せのPDSCH候補が、m=n+1,…Nの組合せの各々のPDSCH候補と重複するかどうかを決定し得る。この場合、ユーザ機器は、n=0からn=N-1までの重複決定に関連する動作を順次実行し得る。
【０１４４】
ユーザ機器は、PDSCH候補セットに含まれるPDSCHの最後のシンボルの位置に基づいて、半静的HARQ-ACKコードブックにおける対応するPDSCHのHARQ-ACK情報の位置を決定し得る。具体的には、ユーザ機器は、PDSCH候補セットに含まれるPDSCHの最後のシンボルの位置に従って、HARQ-ACKコードブックにおける対応するPDSCHのACK/NACKを示すビットの位置を決定し得る。具体的には、最後のシンボルが先行しているPDSCHのHARQ-ACK情報の位置も先行していてもよい。たとえば、第1のPDSCHの最後のシンボルが第2のPDSCHの最後のシンボルの前にある場合、HARQ-ACKコードブックにおいて、第1のPDSCHのACK/NACKを示すビットが、第2のPDSCHのACK/NACKを示すビットに先行していてもよい。
【０１４５】
上述したように、PDSCHが割り振られたシンボルのうちのいずれかがULシンボルに対応する場合、ユーザ機器は、PDSCHをPDSCH候補セットに含まない場合がある。この場合、ユーザ機器は、PRACHおよびSS/PBCHのうちの少なくとも1つをさらに考慮してもよい。これについて、図17から図18を参照して説明する。
【０１４６】
図17は、本発明の実施形態によるユーザ機器がPRACHセットに基づいてPDSCH候補セットを決定することを示している。
【０１４７】
3GPP NRシステムにおいて、ユーザ機器は、基地局によって構成された物理ランダムアクセスチャネル(PRACH)を使用するランダムアクセスを使用して送信を実行し得る。具体的には、PRACHがユーザ機器のために構成される場合、ユーザ機器は、基地局から残りの最小システム情報(RMSI)を取得し得る。さらに、ユーザ機器は、基地局からPRACH送信パラメータに関する情報を取得し得る。この場合、PRACH送信パラメータに関する情報は、PRACHプリアンブル、PRACHが送信される時間リソース、およびPRACHが送信される周波数リソースのうちの少なくとも1つに関する情報を含み得る。さらに、ユーザ機器は、基地局からPRACHプリアンブルに関する情報を取得し得る。この場合、PRACHプリアンブルに関する情報は、プリアンブルのルートシーケンスおよびプリアンブルのサイクリックシフト値のうちの少なくとも1つに関する情報を含み得る。半静的DL/ULがユーザ機器のために構成される場合、ユーザ機器は、FR1(周波数帯域が6GHz以下)のキャリアまたはセルのULシンボル上でのみPRACHを送信し得る。したがって、DLシンボルまたはフレキシブルシンボルがPRACHと重複する場合、ユーザ機器はPRACHを送信することができない場合がある。半静的DL/ULがユーザ機器のために構成される場合、ユーザ機器は、FR2(6GHz以上の周波数帯域)のキャリアまたはセルのULシンボルまたはフレキシブルシンボル上でPRACHを送信し得る。したがって、DLシンボルまたはフレキシブルシンボルがPRACHと重複する場合、ユーザ機器はPRACHを送信することができない場合がある。さらに、FR2のキャリアまたはセルにおいてPRACH送信が構成されているスロットが、SS/PBCHブロックが構成されているスロットに先行する場合、ユーザ機器は、対応するPRACHを送信しない場合がある。以降、PRACH送信のために使用されるシンボルは、説明の中で特に指定がない限り、上記の条件が満たされる場合を意味する。ユーザ機器が、PRACH送信はFR2のキャリアまたはセル上で利用可能であると決定する場合、ユーザ機器は、PRACHに対応するシンボルをULシンボルとして扱い得る。
【０１４８】
PDSCHが割り振られたシンボルのうちの少なくとも1つがRRACH送信のために使用される場合、ユーザ機器は、PDSCHをPDSCH候補セットに含めない場合がある。すなわち、ユーザ機器は、PRACH送信のために使用されるシンボルと重複するPDSCHをPDSCH候補セットに含まない場合がある。ユーザ機器は、PRACH送信のために使用されるシンボルと重複するPDSCHのACK/NACKを示すビットを除いて、HARQ-ACKコードブックを生成し得る。PDSCHが割り振られたすべてのシンボルがPRACH送信のために使用されない場合、ユーザ機器は、PDSCHをPDSCH候補セットに含め得る。
【０１４９】
図17の実施形態では、SLIV1およびSLIVmによって示されるPDSCHの各々に対応するシンボルは、フレキシブルシンボルと重複する。さらに、SLIV1およびSLIVmによって示される各PDSCHは、K0およびK1のPDSCH候補セット条件を満たす。SLIV1によって示されるPDSCHは、ユーザ機器がPRACHを送信することができるシンボルと重複しないが、SLIVmによって示されるPDSCHは、ユーザ機器がPRACHを送信することができるシンボルと重複する。したがって、ユーザ機器は、SLIV1によって示されるPDSCHをPDSCH候補セットに含め、SLIVmによって示されるPDSCHをPDSCH候補セットに含めない。
【０１５０】
図18は、本発明の実施形態によるユーザ機器が、SS/PBCHブロックセットに基づいてPDSCH候補セットを決定することを示している。
【０１５１】
3GPP NRシステムでは、ユーザ機器は、基地局からユーザ機器のSS/PBCHブロック受信に関する情報を取得し得る。基地局は、ユーザ機器のSS/PBCHブロックを受信するための情報をユーザ機器に構成し得る。この場合、SS/PBCHブロック受信のための情報は、セル固有のRRC信号において送信されたSSB送信されたSIB1を含み得る。さらに、SS/PBCHブロック受信の情報は、UE固有のRRC信号において送信されたSSBを含む。ユーザ機器がSSB送信されたSIB1と基地局から送信されたSSBの両方を受信しない場合、ユーザ機器は、あらかじめ定められた位置においてSS/PBCHブロック送信を監視し得る。ユーザ機器が、基地局からSSB送信されたSIB1を受信し、SSB送信を受信しない場合、ユーザ機器は、SSB送信SIB1によって構成されたSS/PBCHブロック送信を監視し得る。ユーザ機器がSSB送信を受信する場合、ユーザ機器はSSB送信において構成されたSS/PBCHブロック送信を監視し得る。以下の説明では、SS/PBCHブロック送信は、基地局の構成に従ってユーザ機器によってモニタリングされるSS/PBCHブロック送信を示し得る。
【０１５２】
シンボルがユーザ機器へのSS/PBCH送信のために使用されるように構成されている場合、ユーザ機器は、シンボルがDLシンボルであると決定し得る。この場合、SS/PBCHブロック送信のために使用されるシンボルは、セル固有のRRC信号(たとえば、SSB送信SIB1)またはユーザ機器固有のRRC信号(たとえば、SSB送信)を通じて構成され得る。たとえULシンボルまたはフレキシブルシンボルと重複するPDSCHが、半静的DL/UL構成に従ってSS/PBCHブロック送信のために使用されるシンボルと重複し、PDSCHがSS/PBCH送信のために使用されるシンボルと重複するシンボル内で送信することができる場合でも、ユーザ機器は、対応するPDSCHをPDSCH候補セットに含め得る。たとえULシンボルまたはフレキシブルシンボルと重複するPDSCHが半静的DL/UL構成に従ってSS/PBCHブロック送信のために使用されるシンボルと重複し、PDSCHがSS/PBCH送信のために使用されるシンボルと重複するシンボル内で送信することができる場合でも、ユーザ機器は、対応するPDSCHのACK/NACKを示すビットをHARQ-ACKコードブックに含むことによって、HARQ-ACKコードブックを生成し得る。また、たとえPRACH送信のために使用されるシンボルと重複するPDSCHがSS/PBCHブロック送信のために使用されるシンボルと重複し、SS/PBCH送信のために使用されるシンボルと重複するシンボル内でPDSCHを送信することができる場合でも、ユーザ機器は、対応するPDSCHをPDSCH候補セットに含め得る。すなわち、たとえPRACH送信のために使用されるシンボルと重複するPDSCHがSS/PBCHブロック送信のために使用されるシンボルと重複し、PDSCHがSS/PBCH送信のために使用されるシンボルと重複するシンボル内で送信することができる場合でも、ユーザ機器は、HARQ-ACKコードブックを生成するために、対応するPDSCHのACK/NACKを示すビットをHARQ-ACKコードブックに含め得る。上記の実施形態では、SS/PBCH送信のために使用されるシンボルと重複するシンボル内でPDSCHを送信することができる場合、対応するPDSCHに割り振られたすべてのシンボルがSS/PBCH送信のために使用されるシンボルと重複する場合がある。
【０１５３】
図18の実施形態では、SLIV1およびSLIVmによって示されるPDSCHの各々に対応するすべてのシンボルは、ULシンボルと重複する。しかしながら、SLIVmによって示されるPDSCHに対応するすべてのシンボルは、SS/PBCH送信のために使用されるシンボルと重複する。SLIV1によって示されるPDSCHに対応するいくつかのシンボルのみが、SS/PBCH送信のために使用されるシンボルと重複する。さらに、SLIVmによって示される各PDSCHは、K0およびK1のPDSCH候補セット条件を満たす。したがって、ユーザ機器は、SLIVmによって示されるPDSCHをPDSCH候補セットに含め、SLIV1によって示されるPDSCHをPDSCH候補セットに含めない。
【０１５４】
図19から図20は、本発明の実施形態による、ユーザ機器がPDSCHを受信し、対応するPDSCHのHARQ-ACK情報を処理するために必要な時間に基づいてPDSCH候補セットを決定することを示している。
【０１５５】
ユーザ機器は、本発明の一実施形態による、PDSCHのHARQ-ACK情報を処理するために必要な時間に基づいて、PDSCH候補セットを決定し得る。3GPP NRシステムの標準は、ユーザ機器がPDSCHのHARQ-ACK情報を処理するために必要な時間を次のように定義する。HARQ-ACK情報を送信するPUCCHまたはPUSCHの第1のULシンボルがシンボルL1より早く開始しない場合、対応するユーザ機器は有効なHARQ-ACK情報を送信する必要がある。シンボルL1は、PDSCHの最後のシンボルの終わりの後のTproc,1=((N1+d1,1+d1,2)*(2048+144)*64*2^-μ)*TCの後に開始するULシンボルである。この場合、N1はmin(μ_DL、μ_UL)に対応する表4におけるμである。μ_DLは、PDSCHが受信されるDLチャネルのサブキャリア間隔構成に対応し、μ_ULは、HARQ-ACK情報が送信されるULチャネルのサブキャリア間隔構成に対応する。HARQ-ACK情報がPUCCHを通じて送信される場合、d1,1=0である。HARQ-ACK情報がPUSCHを通じて送信される場合、d1,1=1である。ユーザ機器が複数のコンポーネントキャリアを用いて送信する場合(すなわち、キャリアアグリゲーションを実行する場合)、コンポーネントキャリア間のタイミング差を考慮して、第1のPUCCHの第1のシンボルの位置が決定される。PDSCHのマッピングタイプはタイプAであり、PDSCHの最後のシンボルはスロットにおけるi番目のシンボルであり、i<7の場合、d1,2=7-iおよびd1,2=0である。PDSCHのマッピングタイプがタイプBであり、PDSCHシンボルの数が4の場合、d1,2=3である。PDSCHのマッピングタイプがタイプBであり、PDSCHシンボルの数が2の場合、d1,2=3+dである。この場合、dは、PDSCHをスケジューリングするPDCCHおよび対応するPDSCHと重複するシンボルの数である。さらに、Tcは以下の通りである。
TC=1/(Δfmax*Nf),Δfmax=480*103,Nf=4096
【０１５６】
【表４】
2021514147.tif 000008
【０１５７】
特に指定がない限り、本明細書においてPDSCH処理時間条件が満たされないということは、ユーザ機器がHARQ-ACK情報を送信するPUCCHまたはPUSCHの第1のULシンボルがL1シンボルよりも先行している場合を指す。ユーザ機器は、PDSCH処理時間条件を満たさないPDSCHをPDSCH候補セットに含まない場合がある。すなわち、ユーザ機器は、PDSCH処理時間条件を満たさないPDSCHのACK/NACKを示すビットを除いて、HARQ-ACKコードブックを生成し得る。
【０１５８】
これらの実施形態では、ユーザ機器がTproc,1を取得する場合、ユーザ機器は、d1,1およびd1,2の各々が0であると仮定し得る。他の特定の実施形態では、ユーザ機器がTproc,1を取得する場合、ユーザ機器は、d1,1およびd1,2がそれぞれd1,1およびd1,2がそれぞれ有することができる最大値を有すると仮定し得る。他の特定の実施形態では、ユーザ機器がPDSCH処理時間条件を決定する場合、ユーザ機器は、Tproc,1の代わりに表4のN1を使用し得る。この場合、N1はシンボルの数を示す。本明細書において特に指定がない限り、Tproc,1の単位はmsである。
【０１５９】
図19の実施形態では、SLIV1およびSLIVmによって示されるPDSCHの各々に対応するシンボルは、フレキシブルシンボルと重複する。また、SLIV1およびSLIVmによって示される各PDSCHは、K0およびK1のPDSCH候補セット条件を満たす。SLIV1によって示されるPDSCHのHARQ-ACK情報を処理するための時間(Tproc,1)は、PDSCHの最後のシンボルの終了から、PUCCHの開始、またはHARQ-ACK情報を含むPUSCHの開始シンボルまでの時間よりも短い。したがって、ユーザ機器は、SLIV1によって示されるPDSCHをPDSCH候補セットに含める。SLIVmによって示されるPDSCHのHARQ-ACK情報を処理するための時間(Tproc,1)は、PDSCHの最後のシンボルの終了から、PUCCHの開始、またはHARQ-ACK情報を含むPUSCHの開始シンボルまでの時間よりも長い。したがって、ユーザ機器は、SLIVmによって示されるPDSCHをPDSCH候補セットに含めない。
【０１６０】
図20の実施形態では、ユーザ機器は、スロットnにおいてHARQ-ACK情報を含むPUCCHまたはPUSCHを送信する。この場合、4つのPDSCHがユーザ機器に割り振られる。第1のPDSCH PDSCH候補#1、第2のPDSCH PDSCH候補#2、および第3のPDSCH PDSCH候補#3の各々の最後のシンボルの終わりから、HARQ-ACK情報を含むPUCCHまたはPUSCHの開始シンボルの開始までのシンボル数はN、すなわちTproc,1から導出されたシンボルの数よりも大きい。この場合、N=ceil(Tproc,1/symbol_duration)であり得る。symbol_durationは、各シンボルの長さを示す。また、N=N1であり得る。N1は、上述の表4で定義された値であり得る。さらに、第4のPDSCH PDSCH候補#4の各々の最後のシンボルの終わりから、HARQ-ACK情報を含むPUCCHまたはPUSCHの開始シンボルの開始までのシンボル数はN、すなわちTproc,1から導出されたシンボルの数よりも大きい。したがって、ユーザ機器は、第1のPDSCH PDSCH候補#1、第2のPDSCH PDSCH候補#2、および第3のPDSCH PDSCH候補#3をPDSCH候補セットに含め、第4のPDSCH PDSCH候補#4をPDSCH候補セットに含めない。
【０１６１】
図15から図16を参照して説明した実施形態は、図17から図20を参照して説明した実施形態の各々またはいくつかの組合せに適用され得る。これをもう一度説明する。
【０１６２】
ユーザ機器は、基地局からシグナリングされる情報に基づいて、PDSCH候補セットを決定する。この場合、基地局からシグナリングされる情報は、上述のK1を含み得る。さらに、基地局からシグナリングされる情報は、K0と、PDSCHの開始シンボルと、上述のPDSCHの長さとの組合せを含み得る。さらに、基地局からシグナリングされる情報は、上述の半静的DL/UL構成を含み得る。シンボルがユーザ機器へのSS/PBCH送信のために使用されるように構成されている場合、ユーザ機器は、シンボルがDLシンボルであると決定し得る。この場合、SS/PBCHブロック送信のために使用されるシンボルは、セル固有のRRC信号(たとえば、SSB送信SIB1)またはUE固有のRRC信号(たとえば、SSB送信)を通じて構成され得る。さらに、基地局からシグナリングされる情報は、上述のCORESETおよび探索空間の構成に関する情報を含み得る。また、基地局からシグナリングされる情報は、PDSCH反復値を含み得る。
【０１６３】
ユーザ機器は、SLIVによって示されるPDSCH候補が、複数のK1値およびK0の各々に対して有効であるかどうかを決定する。説明の便宜上、PUCCHが送信されるスロットはn番目のスロットと呼ばれる。(n-K1)番目のスロットにおいてPDSCHが割り振られるシンボルとしてSLIVによって示されるシンボルのいずれかがULシンボルに対応する場合、ユーザ機器は、SLIVによって示されるPDSCH候補が対応するK1値およびK0に対して有効ではないと決定し得る。さらに、探索空間が(n-K1-K0)番目のスロットに存在しない場合、ユーザ機器は、SLIVによって示されるPDSCH候補が対応するK1値およびK0に対して有効ではないと決定し得る。さらに、SLIVによって示されるPDSCHに対応するシンボル間の最後のシンボルと、HARQ-ACK情報が送信されるPUCCHまたはPUSCHに対応するシンボル間の第1のシンボルとの時間差がPDSCH処理時間条件を満たさない場合、ユーザ機器は、SLIVによって示されるPDSCH候補が対応するK1値およびK0に対して有効ではないと決定し得る。
【０１６４】
SLIV値によって示されるPDSCH候補が無効であるとユーザ機器が決定した場合、ユーザ機器は、対応するK1、K0、およびSLIVによって示されるPDSCH候補の組合せをPDSCH候補セットに含めない場合がある。SLIV値によって示されるPDSCH候補が有効であるとユーザ機器が決定する場合、ユーザ機器は、PDSCH候補セット内の対応するK1値、K0、およびSLIVによって示されるPDSCH候補の組合せを含み得る。
【０１６５】
ユーザ機器は、PDSCH候補セットに含まれるK1値、K0、およびSLIVの組合せのPDSCH候補、ならびにPDSCH候補セットに含まれる他のK1値、K0、およびSLIVの組合せのPDSCH候補が、任意の1つのスロットの少なくとも1つのシンボルにおいて重複するかどうかを決定し得る。PDSCH候補セットに含まれるK1値、K0、およびSLIVの組合せのPDSCH候補、ならびにPDSCH候補セットに含まれる他のK1値、K0、およびSLIVの組合せのPDSCH候補が、任意の1つのスロットの少なくとも1つのシンボルにおいて重複する場合、ユーザ機器は、2つの組合せを1つの組合せに組み合わせる。
【０１６６】
ユーザ機器は、PDSCH候補セットに含まれるPDSCHの最後のシンボルの位置に基づいて、半静的HARQ-ACKコードブックにおける対応するPDSCHのHARQ-ACK情報の位置を決定し得る。具体的には、ユーザ機器は、PDSCH候補セットに含まれるPDSCHの最後のシンボルの位置に従って、HARQ-ACKコードブックにおける対応するPDSCHのACK/NACKを示すビットの位置を決定し得る。具体的には、最後のシンボルが先行しているPDSCHのHARQ-ACK情報の位置も先行していてもよい。たとえば、第1のPDSCHの最後のシンボルが第2のPDSCHの最後のシンボルの前にある場合、HARQ-ACKコードブックにおいて、第1のPDSCHのACK/NACKを示すビットが、第2のPDSCHのACK/NACKを示すビットに先行していてもよい。
【０１６７】
図21は、本発明の実施形態によるユーザ機器が、基準PUCCHリソースまたは基準PUSCHリソースに基づいてPDSCH候補セットを決定することを示している。
【０１６８】
上述のように、ユーザ機器は、PDSCHを受信し、PDSCHのHARQ-ACK処理に必要な時間に基づいて、PDSCHをPDSCH候補セットに含めるかどうかを決定し得る。複数のPUCCHリソースセットが、ユーザ機器のために構成され得る。この場合、ユーザ機器は、UCIペイロードの長さに従って、複数のPUCCHリソースセットのうちの1つのPUCCHリソースセットを決定し、決定されたPUCCHリソースセットを使用してPUCCHを送信し得る。それは、PUCCHリソースセット内の1つのPUCCHリソースDCIのPUCCHリソースインジケータ(PRI)フィールドの値に従って決定され得る。PUCCHリソースは、少なくとも開始シンボルの位置およびシンボルの数によって決定され得る。具体的には、PUCCHリソースは、開始シンボルの位置、シンボルの数、開始PRB、およびPRBの数によって決定され得る。
【０１６９】
ユーザ機器は、PDSCHを受信し、対応するPDSCHおよび基準PUCCHリソースまたは基準PUSCHリソースに対するHARQ-ACK処理に必要な時間に基づいて、対応するPDSCHをPDSCH候補セットに含めるかどうかを決定し得る。PUCCHリソースは、PUCCHが送信することができるリソースを示す。さらに、PUSCHリソースは、PUSCHを送信することができるリソースを示す。具体的には、ユーザ機器は、ユーザ機器によって受信されたPDSCHの最後のシンボルの終わりから、基準PUCCHリソースまたは基準PUSCHリソースの第1のシンボルの始まりまでの時間差、および対応するPDSCHのHARQ-ACK処理に必要な時間に基づいて、対応するPDSCHをPDSCH候補セットに含むかどうかを決定し得る。特定の実施形態では、ユーザ機器によって受信されたPDSCHの最後のシンボルの終わりからPUCCHリソースの第1のシンボルの始まりまでの時間差が、対応するPDSCHのHARQ-ACK処理に必要な時間以下である場合、ユーザ機器は、対応するPDSCHをPDSCH候補セットに含め得る。たとえば、SLIVによって示されるPDSCHに対応するシンボル間の最後のシンボルと、HARQ-ACKが送信される基準PUCCHまたは基準PUSCHに対応するシンボル間の第1のシンボルとの時間差がPDSCH処理時間条件を満たさない場合、ユーザ機器は、SLIVによって示されるPDSCH候補をPDSCH候補セットに含めない場合がある。
【０１７０】
基準PUCCHリソースは、PUCCH送信のためにユーザ機器によって実際に使用されるPUCCHリソースであり得る。具体的には、基準PUCCHリソースは、PRIによって示されるPUCCHリソースであり得る。さらに、基準PUCCHリソースは、1つのスロット内のすべてのPUCCHリソースセットに含まれるPUCCHリソースのうち、開始シンボルが時間的に最も進んでいるPUCCHリソースであり得る。これは、基準PUCCHリソースが、1つのスロット内のすべてのPUCCHリソースセットに含まれるPUCCHリソースのうち、開始シンボルが時間的に最も進んでいるPUCCHリソースである場合、たとえユーザ機器が任意のPUCCHリソースを選択しても、PDSCH処理時間条件が満たされるためである。さらに、基準PUCCHリソースは、1つのスロット内のすべてのPUCCHリソースセットに含まれるPUCCHリソースのうち、開始シンボルが時間的に最新のPUCCHリソースであり得る。これは、基準PUCCHリソースが、1つのスロット内のすべてのPUCCHリソースセットに含まれるPUCCHリソースのうち、開始シンボルが時間的に最も進んでいるPUCCHリソースである場合、たとえユーザ機器が任意のPUCCHリソースを選択しても、最大数のPDSCHをPDSCH候補セットに含むことができるためである。これらの実施形態では、半静的HARQ-ACKコードブックの長さが特定の値よりも大きい場合、ユーザ機器は、PUCCHリソースセットからPUCCHリソースセットの中の特定の長さ以下のUCIを送信するPUCCHリソースを除外し得る。HARQ-ACKコードブックの長さは、HARQ-ACKコードブックのペイロードの長さを示し得る。特定の値は2ビットであり得る。
【０１７１】
上述のように、HARQ-ACKコードブックは、PUSCH送信上でピギーバックされ得る。この場合、ユーザ機器は、基準PUCCHリソースの代わりに基準PUSCHリソースを使用することによって、PDSCHがPDSCH候補セットに含まれるかどうかを決定し得る。基準PUSCHリソースは、DCIスケジューリングPUSCHによって示されるPUSCHリソースであり得る。基準PUSCHリソースは、開始シンボルが、PUSCHをスケジューリングするDCIによって示され得るすべてのPUSCHリソースのうち最も進んでいるPUSCHリソースであり得る。これは、基準PUSCHリソースがDCIスケジューリングPUSCHによって示すことができるすべてのPUSCHリソースのうち開始シンボルが最も進んでいるPUSCHリソースである場合、たとえユーザ機器が任意のPUSCHリソースを選択してもPDSCH処理時間条件が満たされるためである。さらに、基準PUSCHリソースは、開始シンボルが、PUSCHをスケジューリングするDCIによって示すことができるすべてのPUSCHリソースのうち最新のPUSCHリソースであり得る。これは、基準PUSCHリソースが、PUSCHをスケジューリングするDCIによって示すことができるすべてのPUSCHリソースのうち開始シンボルが最新のPUSCHリソースである場合、たとえユーザ機器が任意のPUSCHリソースを選択した場合でも、最大数のPDSCHをPDSCH候補セットに含めることができるためである。他の特定の実施形態では、たとえHARQ-ACKコードブックがPUSCH送信上でピギーバックされる場合でも、ユーザ機器は、基準PUCCHを使用して、PDSCHがPDSCH候補セットに含まれるかどうかを決定し得る。具体的には、ユーザ機器は、基準PUCCHリソースおよび基準PUSCHリソースのうち、開始シンボルが進められたリソースを使用することによって、PDSCHがPDSCH候補セットに含まれるかどうかを決定し得る。
【０１７２】
さらに、SLIVによって示されるPDSCHに対応するシンボルの最後のシンボルと、HARQ-ACKが送信されるPUCCHまたはPUSCHを含むスロットの第1のシンボルとの時間差がPDSCH処理時間条件を満たさない場合、ユーザ機器は、SLIVによって示されるPDSCH候補をPDSCH候補セットに含めない場合がある。他の特定の実施形態では、SLIVによって示されるPDSCHに対応するシンボル間の最後のシンボルと、HARQ-ACKが送信されるPUCCHまたはPUSCHを含むスロット(たとえば、n番目のスロット)の次のスロット(たとえば、(n+1)番目のスロット)の第1のシンボルとの間の時間差が、PDSCH処理時間条件を満たさない場合、ユーザ機器は、SLIVによって示されるPDSCH候補をPDSCH候補セットに含めない場合がある。
【０１７３】
図21の実施形態では、ユーザ機器は、PDSCHごとにHARQ-ACK情報を処理するために必要な時間に対応するシンボルの数であるNを計算する。具体的には、ユーザ機器は、N=ceil(Tproc,1/symbol_duration)を使用してNを計算し得る。symbol_durationは、1つのシンボルの長さを示す。また、N=N1であり得る。この場合、N1は、上記の表4において定義された値であり得る。第1のPDSCH PDSCH候補#1の最後のシンボルから、基準PUCCHを含むスロットの第1のシンボルまたは基準PUSCHの第1のシンボルとのシンボル差は、Nよりも大きい。さらに、第2のPDSCH PDSCH候補#2の最後のシンボルと、基準PUCCHを含むスロットの第1のシンボルまたは基準PUSCHの第1のシンボルとのシンボル差は、Nよりも大きい。さらに、第3のPDSCH PDSCH候補#3の最後のシンボルと、基準PUCCHを含むスロットの第1のシンボルまたは基準PUSCHの第1のシンボルとのシンボル差は、N未満である。さらに、第4のPDSCH PDSCH候補#4の最後のシンボルと、基準PUCCHを含むスロットの第1のシンボルまたは基準PUSCHの第1のシンボルとのシンボル差は、N未満である。したがって、ユーザ機器は、第1のPDSCH PDSCH候補#1および第2のPDSCH PDSCH候補#2をPDSCH候補セットに含め、ユーザ機器は、第3のPDSCH PDSCH候補#3および第4のPDSCH PDSCH候補#4をPDSCH候補セットに含めない場合がある。
【０１７４】
他の特定の実施形態では、SLIVによって示されるPDSCHに対応するシンボル間の最後のシンボルと、HARQ-ACKが送信されるPUCCHまたはPUSCHを含むスロット(たとえば、n番目のスロット)の基準シンボルとの間の時間差が含まれることが、PDSCH処理時間条件を満たさない場合、ユーザ機器は、SLIVによって示されるPDSCH候補をPDSCH候補セットに含めない場合がある。この場合、基準シンボルは、スロット内の第1、第7、第8、または第14のシンボルのうちのいずれかであり得る。
【０１７５】
これらの実施形態では、上述の実施形態は、PDSCH処理時間条件を決定する動作以外の動作に適用され得る。
【０１７６】
図22は、本発明の実施形態によるユーザ機器がスロット単位でPDSCHのHARQ-ACK処理に必要な時間を計算することによってPDSCH候補セットを決定することを示している。
【０１７７】
ユーザ機器は、スロット単位でPDSCH処理時間条件を決定し得る。具体的には、SLIVによって示されるPDSCHに対応するシンボル間の最後のシンボルを含むスロット内の最後のシンボルと、HARQ-ACK情報が送信されるPUCCHまたはPUSCHを含むスロットの第1のシンボルとの時間差がPDSCH処理時間条件を満たさない場合、ユーザ機器は、SLIVによって示されるPDSCH候補をPDSCH候補セットに含めない場合がある。具体的には、PDSCHが受信されるスロットと、HARQ-ACK情報が送信されるPUCCHまたはPUSCHを含むスロットとの間の時間差が、ユーザ機器がPDSCHに対するHARQ-ACK情報を処理するために必要な時間よりも小さい場合、ユーザ機器は、対応するPDSCHをPDSCH候補セットに含めない場合がある。さらに、PDSCHが受信されるスロットと、HARQ-ACK情報が送信されるPUCCHまたはPUSCHを含むスロットとの間の時間差が、ユーザ機器がPDSCHに対するHARQ-ACK情報を処理するために必要な時間以上である場合、ユーザ機器は、対応するPDSCHをPDSCH候補セットに含め得る。1つのスロットの長さ(期間)をXと仮定する。Xの単位はmsであり得る。この場合、ユーザ機器がn番目のスロットでHARQ-ACK情報が送信されるPUCCHまたはPUSCHを送信する場合、ユーザ機器は、 (n-s)番目のスロット、または(n-s)番目のスロットに続くスロットにおいて受信されたPDSCHをPDSCH候補セットに含めない場合がある。この場合、s=ceil(Tproc,1/X)であり得る。またs=floor(Tproc,1/X)であり得る。また、s=round(Tproc,1/X)であり得る。round(x)は、xの丸め演算値を示す。
【０１７８】
図22の実施形態では、ユーザ機器は、PDSCHごとにHARQ-ACK情報を処理するために必要な時間に対応するスロットの数であるsを計算する。具体的には、ユーザ機器は、s=ceil(Tproc,1/X)を使用してsを計算し得る。Xは、1つのスロットの長さ(期間)を表す。第1のPDSCH PDSCH候補#1から第4のPDSCH PDSCH候補#4に対応するsの値はすべて2である。第1のPDSCH PDSCH候補#1が受信されたスロットの最後のシンボルから、PUCCHまたはPUSCHが送信されたスロットの第1のシンボルまでのスロット差は2である。さらに、第2のPDSCH PDSCH候補#2、第3のPDSCH PDSCH候補#3、および第4のPDSCH PDSCH候補#4が受信されるスロットの最後のシンボルと、PUCCHまたはPUSCHが送信されるスロットの第1のシンボルとのスロット差は2未満である。したがって、ユーザ機器は、第1のPDSCH PDSCH候補#1をPDSCH候補セットに含め得、ユーザ機器は、第2のPDSCH PDSCH候補#2、第3のPDSCH PDSCH候補#3、および第4のPDSCH PDSCH候補#4をPDSCH候補セットに含めない場合がある。
【０１７９】
これらの実施形態では、上述の実施形態は、PDSCH処理時間条件を決定する動作以外の動作に適用され得る。
【０１８０】
図23は、本発明の実施形態によるユーザ機器がPDSCHのHARQ-ACK情報をスロット単位で送信するための処理に必要な時間を計算する際に、ユーザ機器が基準PUCCHリソースまたは基準PUSCHリソースに基づいてPDSCH候補セットを決定することを示している。
【０１８１】
上述した実施形態によるユーザ機器がPDSCHのHARQ-ACK情報をスロット単位で送信するための処理に必要な時間を計算する際に、ユーザ機器が基準PUCCHリソースまたは基準PUSCHリソースに基づいてPDSCH候補セットを決定し得る。この場合、図21を参照して説明した実施形態による、ユーザ機器は、基準PUCCHリソースまたは基準PUSCHリソースを決定し得る。
【０１８２】
図23の実施形態では、ユーザ機器は、PDSCHごとにHARQ-ACK情報の送信のための処理に必要な時間に対応するスロットの数であるsを計算する。具体的には、ユーザ機器は、s=ceil(Tproc,1/X)を使用してsを計算し得る。Xは、1つのスロットの長さ(期間)を表す。第1のPDSCH PDSCH候補#1から第4のPDSCH PDSCH候補#4に対応するsの値はすべて2である。第1のPDSCH PDSCH候補#1が受信されたスロットの最後のシンボルから、基準PUCCHリソースまたは基準PUSCHリソースを含むスロット内の第1のシンボルまでのスロット差は2である。さらに、第2のPDSCH PDSCH候補#2、第3のPDSCH PDSCH候補#3、および第4のPDSCH PDSCH候補#4の各々が受信されるスロットの最後のシンボルと、基準PUCCHリソースまたは基準PUSCHリソースを含むスロットの第1のシンボルとのスロット差は2未満である。したがって、ユーザ機器は、第1のPDSCH PDSCH候補#1をPDSCH候補セットに含め、ユーザ機器は、第2のPDSCH PDSCH候補#2、第3のPDSCH PDSCH候補#3、および第4のPDSCH PDSCH候補#4をPDSCH候補セットに含めない場合がある。
【０１８３】
これらの実施形態では、上述の実施形態は、PDSCH処理時間条件を決定する動作以外の動作に適用され得る。
【０１８４】
基地局によって、PDSCHを受信するためにスロットを集約するようにユーザ機器が構成される場合、ユーザ機器は、各スロットにおいて多くても1つのPDSCHを受信し得る。具体的には、PDSCHを受信するためにスロットを集約するように基地局によってユーザ機器が構成される場合、ユーザ機器は、1つのスロットにおいて最大1つのPDSCH受信がスケジューリングされることを期待することができる。この場合、PDSCHの繰返し受信が複数のスロットにおいて繰り返されるように構成されている場合、ユーザ機器は、PDSCHが受信されるすべてのスロットにおいてPDSCH受信が利用可能であるかどうかに基づいて、対応するPDSCHをPDSCH候補セットに含める条件を満たすかどうかを決定し得る。具体的には、PDSCH受信として示されたすべてのスロットの少なくとも1つにおいてPDSCH受信が利用不可能である場合、ユーザ機器は、PDSCHをPDSCH候補セットに含めない場合がある。この場合、PDSCH受信は、PDSCHマッピングタイプAによって示されるPDSCH受信であり得る。PDSCHマッピングタイプAは、PDSCHのDMRSがスロットの第3のシンボルまたはスロットの第4のシンボルに固定されるPDSCH受信方法を示す。基地局によって、PDSCHを受信するためにスロットを集約するようにユーザ機器が構成される場合、ユーザ機器は、以下のようにPDSCH候補セットを決定し得る。
【０１８５】
ユーザ機器は、floor((K0max-K0min+K1max-K1min)/Nrep)に従って、PDSCH候補セットのサイズを決定し得る。この場合、K0maxは、ユーザ機器のために構成されたK0値のうち最大の値を表す。さらに、K1maxは、ユーザ機器のために構成されたK1値のうち最大の値を示す。さらに、K0minは、ユーザ機器のために構成されたK0値のうち最小の値を表す。さらに、K1minは、ユーザ機器のために構成されたK1値のうち最小の値を表す。本明細書において、floor(x)は、x以下の整数のうち最大の整数である。この場合、Nrepは、PDSCHが繰り返されて受信されるスロットの数を示す。上述のように、NrepはRRC信号を通じて構成され得る。さらに、PDSCH繰返しが使用されない場合、Nrep=1である。
【０１８６】
ユーザ機器は、K1値の最大値を使用して、PDSCH候補セットに含まれるPDSCHを決定し得る。具体的には、ユーザ機器は、K1の最大値およびNrepを使用して、PDSCH候補セットに含まれるPDSCHを決定し得る。具体的には、ユーザ機器は、SLIVによって示されるPDSCH候補が、複数のK1値の降順でK1およびK0値に対して有効であるかどうかを決定し得る。特定の実施形態では、ユーザ機器は、以下の動作を使用して半静的HARQ-ACKコードブックを生成し得る。説明の便宜上、PUCCHが送信されるスロットはn番目のスロットと呼ばれる。
【０１８７】
1)ユーザ機器は、HARQ-ACKコードブックの長さを0ビットに設定する。
【０１８８】
2)ユーザ機器は、SLIVによって示されるPDSCH候補がK1max値およびK0値に対して有効であるかどうかを決定する。この場合、K1maxはK1値のセットの最大値である。K1maxは、K1値のセットから除外される。(n-K1max)番目のスロット、(n-K1max -1)番目のスロット、...および(n-K1max-(Nrep-1))番目のスロットすべてに関連して、PDSCH候補が対応するスロットに割り振られるSLIVによって示されるシンボルのいずれかがULシンボルと重複する場合、ユーザ機器は、対応するPDSCH候補が無効であると決定し得る。具体的には、PDSCHが割り振られるシンボルとしてSLIVによって示されるすべてのシンボルが、(n-K1)番目のスロット、(n-K1-1)番目のスロット、...および(n-K1-(Nrep-1))番目のスロットのうちいずれか1つのスロットにおけるULシンボルに対応しない場合、ユーザ機器は、SLIVによって示されたPDSCH候補は有効であると決定し得る。他の特定の実施形態では、(n-K1max-(Nrep-1))番目のスロットにおいてPDSCHが割り振られるシンボルとしてSLIVによって示されるシンボルのうちの少なくとも1つがULシンボルと重複する場合、PDSCH候補は有効ではないと決定され得る。(n-K1max-(Nrep-1))番目のスロットにおいてPDSCHが割り振られるシンボルとしてSLIVによって示されたすべてのシンボルがULシンボルと重複しない場合、PDSCH候補は有効であると決定され得る。
【０１８９】
3)ステップ2)においてユーザ機器が有効であるPDSCH候補について、ユーザ機器は、PDSCHのHARQ-ACK送信のためにHARQ-ACKコードブックの長さを1だけ増加させる。
【０１９０】
4)有効なPDSCH候補の場合、ユーザ機器はK1値のセットからK1max-Nrepよりも大きい値を除外する。ユーザ機器は、K1値のセットが空のセットである場合、または2)から4)までのプロセスを繰り返す場合、動作を停止する。
【０１９１】
ユーザ機器は、K1値の最小値を使用して、PDSCH候補セットに含まれるPDSCHを決定し得る。具体的には、ユーザ機器は、K1の最小値およびNrepを使用して、PDSCH候補セットに含まれるPDSCHを決定し得る。具体的には、ユーザ機器は、SLIVによって示されるPDSCH候補が、複数のK1値の昇順でK1およびK0値に対して有効であるかどうかを決定し得る。特定の実施形態では、ユーザ機器は、以下の動作を使用して半静的HARQ-ACKコードブックを生成し得る。説明の便宜上、PUCCHが送信されるスロットはn番目のスロットと呼ばれる。
【０１９２】
1)ユーザ機器は、HARQ-ACKコードブックの長さを0ビットに設定する。
【０１９３】
2)ユーザ機器は、SLIVによって示されるPDSCH候補がK1min値およびK0値に対して有効であるかどうかを決定する。この場合、K1minはK1値のセットの最小値である。K1minは、K1値のセットから除外される。(n-K1min)番目のスロット、(n-K1min-1)番目のスロット、...および(n-K1min-(Nrep-1))番目のスロットのすべてに関して、対応するスロットにおけるSLIVによってPDSCHが割り振られているシンボルとして示されているシンボルのいずれか1つがULシンボルに対応する場合、ユーザ機器は、対応するPDSCH候補が無効であると決定し得る。具体的には、PDSCHが割り振られるシンボルとしてSLIVによって示されるすべてのシンボルが、(n-K1)番目のスロット、(n-K1-1)番目のスロット、...および(n-K1-(Nrep-1))番目のスロットのうちいずれか1つのスロットにおけるULシンボルに対応しない場合、ユーザ機器は、対応するPDSCH候補は有効であると決定し得る。他の特定の実施形態では、(n-K1min-(Nrep-1))番目のスロットにおいてPDSCHが割り振られるシンボルとしてSLIVによって示されるシンボルのうちの少なくとも1つがULシンボルと重複する場合、PDSCH候補は有効ではないと決定され得る。(n-K1min-(Nrep-1))番目のスロットにおいてPDSCHが割り振られるシンボルとしてSLIVによって示されたすべてのシンボルがULシンボルと重複しない場合、PDSCH候補は有効であると決定され得る。
【０１９４】
3)ステップ2)においてユーザ機器が有効であるPDSCH候補について、ユーザ機器は、PDSCHのHARQ-ACK送信のためにHARQ-ACKコードブックの長さを1だけ増加させる。
【０１９５】
4)有効なPDSCH候補の場合、ユーザ機器はK1値のセットからK1min-Nrep未満の値を除外する。ユーザ機器は、K1値のセットが空のセットである場合、または2)から4)までのプロセスを繰り返す場合、動作を停止する。
【０１９６】
ユーザ機器がスロットを集約し、PDSCHを受信する場合(すなわち、Nrep時間の繰返しを受信する場合)、ユーザ機器は、第1のPDSCH受信の位置に基づいて、PDSCHに対応するHARQ-ACKコードブックのサイズを決定し得る。これは、基地局によって、PDSCHを受信するためにスロットを集約するようにユーザ機器が構成される場合、ユーザ機器は、各スロットにおいて多くても1つのPDSCHを受信し得るためである。具体的には、第1のPDSCHが(n-(i*Nrep))番目のスロットから(n-((i+1)*Nrep-1))番目のスロットのいずれかにおいて受信されると、ユーザ機器は、対応するPDSCHの受信がHARQ-ACKコードブックのi番目のビットに対応すると決定し得る。この場合、i=floor(K1max/Nrep)+1であり得る。たとえば、Nrep時間までに受信されたPDSCHのうちの第1のPDSCHが、(n-Nrep)番目のスロットから(n-(2*Nrep-1))番目のスロットの1つにおいて受信される場合、ユーザ機器は、対応するPDSCHの受信がHARQ-ACKコードブックの第1のビットに対応すると決定し得る。Nrep時間までに受信されたPDSCHのうちの第1のPDSCHが(n-2*Nrep)番目のスロットから(n-(3*Nrep-1))番目のスロットの1つにおいて受信される場合、ユーザ機器は、対応するPDSCHの受信がHARQ-ACKコードブックの第2のビットに対応すると決定し得る。
【０１９７】
図24は、本発明の実施形態によるユーザ機器の方法が、PDSCHが、HARQ-ACKコードブックを含むPUSCHをスケジューリングするPDCCHの後に受信されるPDCCHによってスケジューリングされるかどうかに従って、PDSCH候補セットを決定することを示している。
【０１９８】
ユーザ機器の半静的HARQ-ACKコードブック送信が構成されている場合、ユーザ機器は、PUSCH上で半静的HARQ-ACKコードブックをピギーバックして送信し得る。半静的HARQ-ACKコードブックを送信するPUCCHの時間リソースとPUSCHの時間リソースが重複する場合、ユーザ機器は、PUSCH上で半静的HARQ-ACKコードブックをピギーバックして送信し得る。この場合、PUCCHの時間リソースとPUSCHの時間リソースの重複は、PUCCHとPUSCHが位置するスロットが同じであることを意味し得る。さらに、PUCCHの時間リソースとPUSCHの時間リソースの重複は、PUCCHおよびPUSCHが位置するシンボルが同じであることを意味し得る。さらに、PUCCHの時間リソースとPUSCHの時間リソースの重複は、PUCCHのシンボルのうちの少なくとも1つとPUSCHのシンボルのうちの少なくとも1つが同じシンボルに位置することを意味し得る。
【０１９９】
PUSCHがHARQ-ACKコードブックを含む場合、基地局は、HARQ-ACKコードブックを含むPUSCHをスケジューリングするPDCCHの後に受信されたPDCCHによってスケジューリングされたPDSCHが、PUSCHに含まれるHARQ-ACKコードブックを通じて送信されることを期待しない。したがって、ユーザ機器は、PDSCHをスケジューリングするためのPDCCHの後に位置する探索空間においてスケジューリングされたPDSCHを、PDSCH候補セットに含めない場合がある。すなわち、ユーザ機器は、PUSCHをスケジューリングするPDCCHの後に位置する探索空間においてスケジューリングされたPDSCHのHARQ-ACK情報をHARQ-ACKコードブックに含めない場合がある。図16の実施形態には4つのモニタリング機会がある。ユーザ機器がPUCCHを通じてHARQ-ACKコードブックを送信する場合、ユーザ機器は、PDSCH候補セット内の4つのモニタリング機会において受信されたPDCCHによってスケジューリングされたPDSCHを含む。この場合、PUSCHは、第2のモニタリング機会であるモニタリング機会1において受信したDCIによってスケジューリングされる。HARQ-ACKコードブックは、対応するPUSCHを通じて送信される。したがって、ユーザ機器は、第3のモニタリングであるモニタリング機会2と、第4のモニタリング機会であるモニタリング機会3において受信されたDCIによってスケジューリングされたPDSCHをPDSCH候補セットに含めない。
【０２００】
具体的には、ユーザ機器は以下のように動作し得る。ユーザ機器は、n番目のスロットにHARQ-ACKコードブックを含むUCIをピギーバックすることによって、PUSCHを送信し得る。この場合、p番目のスロットの探索空間においてDCIスケジューリングPUSCHが受信される。p<nであり、n-K1-(Nrep-1)-K0>pである場合、ユーザ機器は、PDSCH候補セット内のp番目のスロットの探索空間の後に、探索空間において受信したDCIによってスケジューリングされたPDSCHを含まない場合がある。これは、PUSCHのp番目のスロットの後に位置する探索空間において受信されたDCIによってスケジューリングされたPDSCHに関するHARQ-ACK情報が送信できないと仮定できるためである。ユーザ機器が、PUSCH上のHARQ-ACKコードブックを含むUCIをピギーバックし、PUSCHを送信する場合、ユーザ機器は、PUSCHをスケジューリングするPDCCHに基づいてHARQ-ACKコードブックのサイズを構成し得る。具体的には、ユーザ機器は、対応するPUSCHをスケジューリングするPDCCHに基づいて、HARQ-ACKコードブックのサイズを縮小し得る。
【０２０１】
図25は、本発明の実施形態によるユーザ機器が、HARQ-ACK情報を含むPUCCHの送信を示すPDCCHを受信した後、ユーザ機器が、対応するPUCCHの送信が示されるリソースを変更するPDCCHを受信することを示す図である。
【０２０２】
図25において、ユーザ機器は、第1のPUCCHリソースにおいて、2つのPDCCHによってそれぞれスケジューリングされる2つのPDSCHに関するHARQ-ACK情報を含むPUCCHを送信するように示される。ユーザ機器は、第1のPUCCHリソースの開始シンボルからN3シンボルに先行する時間の後、第2のPUCCHリソースにおいてPUCCHを送信することを示すPDCCHを受信する。上述のように、ユーザ機器がPDSCHを受信し、対応するPDSCHに対するHARQ-ACK情報を送信する前にPUCCHリソースが変更される場合、ユーザ機器は変更されたPUCCHリソースに従ってPUCCHを送信できない場合がある。N3は、ユーザ機器がPDSCHのHARQ-ACK情報を処理するために必要な最小時間に従って決定され得る。具体的には、PUCCHリソースによって変更されることが示されている情報を取得してからPUCCH送信を開始するまでの時間が、ユーザ機器がPDSCHのHARQ-ACK情報を処理するために必要な時間よりも短い場合(すなわち、N3よりも短い場合)、ユーザ機器は、変更されたPUCCHリソースに従ってPUCCHを送信できない場合がある。これを防ぐ方法について説明する。
【０２０３】
ユーザ機器は、基地局によって示されるPUCCH送信の開始シンボルからあらかじめ定められた先行時間内にPUCCHリソースを変更するPDCCHを受信することを期待しない場合がある。さらに、基地局は、基地局によって示されるPUCCH送信の開始シンボルからあらかじめ定められた先行時間の後、ユーザ機器によって受信されたPUCCHリソースを変更するPDCCHを送信しない場合がある。具体的には、たとえユーザ機器が、基地局によって示されるPUCCH送信の開始シンボルからあらかじめ定められた先行時間の後に対応するPUCCHのPUCCHリソースを変更するPDCCHを受信しても、ユーザ機器は、対応するPDCCHに従ってPUCCHリソースを変更しない場合がある。ユーザ機器が、PUCCH送信の開始シンボルからあらかじめ定められた先行時間の後にPUCCHリソースを変更するPDCCHを受信する場合、ユーザ機器は、PDCCHを無視し得る。ユーザ機器が、基地局によって示されるPUCCH送信の開始シンボルからあらかじめ定められた先行時間前に対応するPUCCHのPUCCHリソースを変更するPDCCHを受信する場合、ユーザ機器は、対応するPDCCHに従って変更されたPUCCHリソースにおいてPUCCHを送信し得る。この場合、あらかじめ定められた先行時間だけ先行する時間は、ユーザ機器の能力およびサブキャリア間隔に従って決定され得る。さらに、あらかじめ定められた先行時間に先行する時間をシンボル数として特定し得る。シンボルの数は、N3と呼ばれ得る。詳細には、N3は、ユーザ機器がPDSCHのHARQ-ACK情報を処理するために必要な最小時間に従って決定され得る。
【０２０４】
上述のように、HARQ-ACK情報を含むPUCCHリソースは、PUCCHに含まれるHARQ-ACK情報に対応するPDSCHをスケジューリングするPDCCHのPUCCHリソースインジケータ(PRI)によって、ユーザ機器に示され得る。したがって、ユーザ機器は、基地局によって示されるPUCCH送信の開始シンボルからあらかじめ定められた先行時間(たとえば、N3シンボル)の後に対応するPUCCHのPUCCHリソース以外のリソースを示す対応するPUCCHに含まれるHARQ-ACK情報に対応するPDSCHをスケジューリングするPDCCHのPRIを受信することを期待しない場合がある。説明の便宜上、対応するPUCCHのPUCCHリソース以外のリソースを示すPUCCHに含まれるHARQ-ACK情報に対応するPDSCHをスケジューリングするPDCCHのPRIは、PUCCHリソース変更PRIと呼ばれる。具体的には、たとえユーザ機器が、基地局によって示されるPUCCH送信の開始シンボルからあらかじめ定められた先行時間(たとえば、N3シンボル)の後にPUCCHリソース変更PRIを受信した場合でも、ユーザ機器は、対応するPDCCHに従ってPUCCHリソースを変更しない場合がある。ユーザ機器が、PUCCH送信の開始シンボルからあらかじめ定められた先行時間(たとえば、N3シンボル)の後にPUCCHリソース変更PRIを受信する場合、ユーザ機器は、対応するPDCCHを無視し得る。ユーザ機器が、基地局によって示されるPUCCH送信の開始シンボルからあらかじめ定められた先行時間(たとえば、N3シンボル)の前にPUCCHリソース変更PRIを受信する場合、ユーザ機器は、対応するPDCCHに従って変更されたPUCCHリソースにおいてPUCCHを送信し得る。さらに、基地局は、基地局によって示されるPUCCH送信の開始シンボルからあらかじめ定められた先行時間(たとえば、N3シンボル)の後に、ユーザ機器によって受信されるべきPDCCHリソース変更PRIを送信しない場合がある。
【０２０５】
ユーザ機器のHARQ-ACKコードブックのタイプが動的HARQ-ACKコードブック(すなわち、タイプ2のHARQ-ACKコードブック)として構成されている場合、PUCCHリソースは、PUCCHが送信されるスロットと同じスロットにおいて送信されるべきHARQ-ACK情報に対応するPDSCHをスケジューリングするPDCCHに従って変更され得る。具体的には、ユーザ機器は、ユーザ機器によって受信されるPUCCHの送信が示されるスロットと同じスロットにおいて送信されるべきHARQ-ACK情報に対応するPDSCHをスケジューリングするPDCCHの数に基づいてHARQ-ACKコードブックのサイズを決定し得る。たとえば、ユーザ機器が、PUCCHの送信が示されるスロットと同じスロットにおいて送信されるべきHARQ-ACK情報に対応するPDSCHをスケジューリングするPDCCHをさらに受信する場合、ユーザ機器は、このPDSCHのHARQ-ACKを含むためにHARQ-ACKコードブックのサイズを増やす必要がある場合がある。ユーザ機器は、PUCCHを通じて送信されるHARQ-ACKコードブックのサイズ(すなわち、HARQ-ACKコードブックのビット数)に従って、PUCCHリソースセットを決定し得る。この場合、ユーザ機器は、PDSCHをスケジューリングするPDCCHのうち時間的に最後に受信された最後のPDCCHのPRIフィールドの値に基づいて、PUCCHリソースセットからPUCCH送信に使用されるべきPUCCHリソースを選択し得る。したがって、ユーザ機器によって受信されたPUCCHの送信が示されたスロットと同じスロットにおいて送信されるべきHARQ-ACK情報に対応するPDSCHをスケジューリングするPDCCHをユーザ機器が受信する場合、PUCCHリソースが変更される可能性がある。
【０２０６】
したがって、ユーザ機器は、PUCCHリソースセットまたはPUCCHリソースを変更するPDCCHを、HARQ-ACK情報に対応するPDSCHをスケジューリングするPDCCHが、基地局によって示されるPUCCH送信の開始シンボルからあらかじめ定められた先行時間(たとえば、N3シンボル)の後にPUCCHが送信されるスロットと同じスロットにおいて送信されるべきであるとして受信することを期待しない場合がある。説明の便宜上、示されるPUCCH送信と同じスロットにおいて送信されるべきHARQ-ACK情報に対応するPDSCHをスケジューリングするPDCCHとして、PUCCHリソースセットを変更するPDCCHは、HARQ-ACK追加PDCCHと呼ばれる。具体的には、たとえユーザ機器が、基地局によって示されるPUCCH送信の開始シンボルからあらかじめ定められた先行時間(たとえば、N3シンボル)の後にHARQ-ACK追加PDCCHを受信した場合でも、ユーザ機器は、対応するPDCCHに従ってPUCCHリソースを変更しない場合がある。ユーザ機器が、PUCCH送信の開始シンボルからあらかじめ定められた先行時間(たとえば、N3シンボル)の後にHARQ-ACK追加PDCCHを受信する場合、ユーザ機器は、対応するPDCCHを無視し得る。ユーザ機器が、基地局によって示されるPUCCH送信の開始シンボルからあらかじめ定められた先行時間(たとえば、N3シンボル)の前にHARQ-ACK追加PDCCHを受信する場合、ユーザ機器は、対応するPDCCHに従って変更されたPUCCHリソースにおいてPUCCHを送信し得る。したがって、ユーザ機器が、基地局によって示されるPUCCH送信の開始シンボルからあらかじめ定められた先行時間(たとえば、N3シンボル)の後にPUCCHが送信されるスロットと同じスロットにおいて送信されるべきHARQ-ACK情報に対応するPDSCHをスケジューリングするPDCCHを受信する場合でも、PDCCHはHARQ-ACKコードブックのビットを追加する必要がない場合がある。この場合、ユーザ機器は、対応するPUCCHを通じて、対応するPDCCHによってスケジューリングされたPDSCHのHARQ-ACK情報を送信し得る。さらに、基地局は、基地局によって示されるPUCCH送信の開始シンボルからあらかじめ定められた先行時間(たとえば、N3シンボル)の後に、ユーザ機器によって受信されたHARQ-ACK追加PDCCHを送信しない場合がある。
【０２０７】
PUCCHリソースセットおよびPUCCHリソースは、UL BWPに従って異なるように構成され得る。これは、ユーザ機器のUL送信がUL BWP内で実行されるためである。したがって、ユーザ機器は、基地局によって示されるPUCCH送信の開始シンボルからあらかじめ定められた先行時間(たとえば、N3シンボル)の後に、UL BWPの変化を示すPDCCHを受信することを期待しない場合がある。具体的には、たとえユーザ機器が、基地局によって示されるPUCCH送信の開始シンボルからあらかじめ定められた先行時間(たとえば、N3シンボル)の後にUL BWPの変化を示すPDCCHを受信しても、ユーザ機器は、対応するPDCCHに従ってPUCCHリソースを変更しない場合がある。ユーザ機器が、PUCCH送信の開始シンボルからあらかじめ定められた先行時間(たとえば、N3シンボル)の後にUL BWPの変更を示すPDCCHを受信する場合、ユーザ機器は、対応するPDCCHを無視し得る。ユーザ機器が、基地局によって示されるPUCCH送信の開始シンボルからあらかじめ定められた先行時間(たとえば、N3シンボル)の前にUL BWPの変化を示すPDCCHを受信する場合、ユーザ機器は、対応するPDCCHに基づいてUL BWPを変更し得、また変更されたUL BWPにおいてPUCCHを送信し得る。具体的には、ユーザ機器が、基地局によって示されるPUCCH送信の開始シンボルからあらかじめ定められた先行時間(たとえば、N3シンボル)の前にUL BWPの変更を示すPDCCHを受信する場合、ユーザ機器は、変更されたUL BWPに従って変更されたPUCCHリソースにおいてPUCCHを送信し得る。また、たとえユーザ機器が、基地局によって示されるPUCCH送信の開始シンボルからあらかじめ定められた先行時間(たとえば、N3シンボル)の後にPUCCHリソースを変更しても、PDCCHは、UL BWP変更を示さない場合がある。たとえユーザ機器が、基地局によって示されるPUCCH送信の開始シンボルからあらかじめ定められた先行時間(たとえば、N3シンボル)の後にPUCCHリソースを変更しても、ユーザ機器は、UL BWPの変更を示さないPDCCHを受信することを期待する場合がある。この場合、ユーザ機器は、対応するPDCCHによって変更されたPUCCHリソースに従ってPUCCHを送信し得る。さらに、基地局は、基地局によって示されるPUCCH送信の開始シンボルからあらかじめ定められた先行時間(たとえば、N3シンボル)の後に、ユーザ機器によって受信されたUL BWPの変化を示すPDCCHを送信しない場合がある。
【０２０８】
ユーザ機器のHARQ-ACKコードブックのタイプが半静的HARQ-ACKコードブック(すなわち、タイプ1 HARQ-ACKコードブック)として構成されている場合、PUCCHリソースは、DL BWPにおける変更を示すPDCCHに従って変更され得る。具体的には、ユーザ機器がDL BWPの変更を示すPDCCHを受信する場合、ユーザ機器は、対応するPDCCHに基づいてDL BWPを変更し得る。ユーザ機器がDL BWPを変更する場合、ユーザ機器は、DL BWPが変更される前にスケジューリングされたPDSCHのHARQ-ACK情報を基地局に送信しない場合がある。具体的には、ユーザ機器が基地局からDL BWPを変更するDCIを受信する場合、ユーザ機器は、DL BWP変更前に受信したPDCCHによってスケジューリングされたPDSCHをPDSCH候補セットから除外し得る。したがって、ユーザ機器が基地局からDL BWPの変更を示すPDCCHを受信することによってDL BWPを変更する場合、半静的HARQ-ACKコードブックのサイズを縮小し得る。HARQ-ACKコードブックのサイズが減少するにつれて、HARQ-ACKビットの数が減少するので、PUCCHリソースは、上述のように変更され得る。
【０２０９】
したがって、ユーザ機器は、基地局によって示されるPUCCH送信の開始シンボルからあらかじめ定められた先行時間(たとえば、N3シンボル)の後に、DL BWPの変化を示すPDCCHを受信することを期待しない場合がある。具体的には、たとえユーザ機器が、基地局によって示されるPUCCH送信の開始シンボルからあらかじめ定められた先行時間(たとえば、N3シンボル)の後にDL BWPの変化を示すPDCCHを受信しても、ユーザ機器は、対応するPDCCHに従ってPUCCHリソースを変更しない場合がある。ユーザ機器が、PUCCH送信の開始シンボルからあらかじめ定められた先行時間(たとえば、N3シンボル)の後にDL BWPの変更を示すPDCCHを受信する場合、ユーザ機器は、対応するPDCCHを無視し得る。ユーザ機器が、基地局によって示されるPUCCH送信の開始シンボルからあらかじめ定められた先行時間(たとえば、N3シンボル)の前にDL BWPの変更を示すPDCCHを受信する場合、ユーザ機器は、半静的HARQ-ACKコードブックからの対応するPDCCHに従って変更されたPUCCHリソースからのDL BWPの変更を示すPDCCHの前にスケジューリングされたPDSCHのHARQ-ACK情報を除外することによってPUCCHを送信し得る。さらに、たとえユーザ機器が、基地局によって示されるPUCCH送信の開始シンボルからあらかじめ定められた先行時間(たとえば、N3シンボル)の後にPUCCHリソースを変更しても、PDCCHは、DL BWP変更を示さない場合がある。たとえユーザ機器が、基地局によって示されるPUCCH送信の開始シンボルからあらかじめ定められた先行時間(たとえば、N3シンボル)の後にPUCCHリソースを変更しても、ユーザ機器は、DL BWPの変更を示さないPDCCHを受信することを期待する場合がある。この場合、ユーザ機器は、対応するPDCCHによって変更されたPUCCHリソースを反映することによってPUCCHを送信し得る。さらに、基地局は、基地局によって示されるPUCCH送信の開始シンボルからあらかじめ定められた先行時間(たとえば、N3シンボル)の後に、ユーザ機器によって受信されたDL BWPの変化を示すPDCCHを送信しない場合がある。上述の実施形態では、半静的HARQ-ACKコードブックがユーザ機器のために構成される場合として説明された。しかしながら、たとえ動的HARQ-ACKコードブックがユーザ機器のために構成される場合でも、上述の実施形態が適用され得る。上記の実施形態では、DL BWPの変更を示すPDCCHは、PDSCHをスケジューリングし得る。この場合、対応するPDCCHは、対応するPDSCHのHARQ-ACKが、基地局によって第1に示されたPUCCHを通じて送信されることを示し得る。しかしながら、これらの実施形態が適用される場合、ユーザ機器のDL BWPを変更することができない時間間隔があり得る。したがって、これらの実施形態は、高速なDL BWPの変更を必要とするユーザ機器またはサービスに適用するには適切ではない場合がある。
【０２１０】
したがって、たとえDL BWPが、基地局によって示されたPUCCH送信の開始シンボルからあらかじめ定められた先行時間(たとえば、N3シンボル)の後に変更された場合でも、ユーザ機器は、DL BWPが変更される前と同じHARQ-ACKコードブックのサイズを維持することができる。特定の実施形態では、PUCCH送信の開始シンボルからあらかじめ定められた先行時間(たとえば、N3シンボル)後にDL BWPが変更される場合、ユーザ機器は、DL BWPの変更前にスケジューリングされたPDSCHのHARQ-ACK情報を含む半静的HARQ-ACKコードブックを送信し得る。この場合、ユーザ機器は、DL BWPがNACKに変更される前にスケジューリングされたPDSCHのHARQ-ACK情報を構成し得る。さらに、DL BWPがPUCCH送信の開始シンボルからあらかじめ定められた先行時間(たとえば、N3シンボル)の前に変更される場合、ユーザ機器は、半静的HARQ-ACKコードブックにおいてDL BWP変更前にスケジューリングされたPDSCHのHARQ-ACK情報を含まない場合がある。他の特定の実施形態では、ユーザ機器は、PUCCHリソースセットがDL BWPが変更される前と同じままである限り、半静的HARQ-ACKコードブックにパディングビットを挿入し得る。DL BWP変更前のPUCCHリソースセットに対応するUCIビット数の範囲は、AビットからBビットと呼ばれる。さらに、DL BWPが変更される前にスケジューリングされたPDSCHのHARQ-ACK情報を半静的HARQ-ACKコードブックから除外したUCIのサイズは、Cと呼ばれる。このとき、CのサイズがAのサイズよりも小さい場合、ユーザ機器は、HARQ-ACKコードブックがPUCCHリソースセットに対応するUCIビット数の最小値を満たすために、A〜CビットをHARQ-ACKコードブックに追加し得る。CのサイズがAのサイズ以上である場合、ユーザ機器は、DL BWPが変更される前にスケジューリングされたPDSCHのHARQ-ACK情報を半静的HARQ-ACKコードブックから除外することによって、PUCCHを通じて半静的HARQ-ACKコードブックを送信し得る。たとえDL BWPがこれらの実施形態を通じて変更されたとしても、ユーザ機器は、同じPUCCHリソースセットの同じPUCCHリソースにおいてPUCCHを送信し得る。
【０２１１】
上述の実施形態では、物理データチャネルは、PDSCHまたはPUSCHを含み得る。さらに、物理制御チャネルは、PDCCHまたはPUCCHを含み得る。さらに、PUSCH、PDCCH、PUCCH、およびPDCCHを使用して説明される実施形態では、他のタイプのデータチャネルおよび制御チャネルが適用され得る。
【０２１２】
本開示の方法およびシステムは、特定の実施形態に関連して説明され、構成要素、本開示の動作の一部または全体は、汎用ハードウェアアーキテクチャを有するコンピュータシステムを使用して実装され得る。
【０２１３】
本開示の前述の説明は、例示および説明の目的で提示されてきた。本開示が関連する技術分野の当業者には、本開示の技術的原理または本質的な特徴を変更することなしに、本開示を他の詳細な形態に容易に修正できることが明らかである。したがって、上述のこれらの実施形態は、例示の目的でのみ提案されており、本開示を限定するものではない。たとえば、単一のタイプであると説明された各コンポーネントは、分散された方法で実装することができる。同様に、分散されるように記述されたコンポーネントは、組み合わせて実装することができる。
【０２１４】
本開示の範囲は、前述の説明ではなく、添付の特許請求の範囲によって提示される。特許請求の範囲の定義および範囲ならびにそれらの均等物から導出されるすべての変更または修正は、本開示の範囲内にあることを理解されたい。
【符号の説明】
【０２１５】
100  UE
110  プロセッサ
120  通信モジュール
121  セルラー通信インタフェースカード
122  セルラー通信インタフェースカード
123  非ライセンス帯域の通信インタフェースカード
130  メモリ
140  ユーザインタフェース
150  ディスプレイユニット
200  基地局
210  プロセッサ
220  通信モジュール
221  セルラー通信インタフェースカード
222  セルラー通信インタフェースカード
223  非ライセンス帯域の通信インタフェースカード
230  メモリ
【図１】
2021514147.tif 000009
【図２】
2021514147.tif 000010
【図３】
2021514147.tif 000011
【図４】
2021514147.tif 000012
【図５】
2021514147.tif 000013
【図６】
2021514147.tif 000014
【図７】
2021514147.tif 000015
【図８】
2021514147.tif 000016
【図９】
2021514147.tif 000017
【図１０】
2021514147.tif 000018
【図１１】
2021514147.tif 000019
【図１２】
2021514147.tif 000020
【図１３】
2021514147.tif 000021
【図１４】
2021514147.tif 000022
【図１５】
2021514147.tif 000023
【図１６】
2021514147.tif 000024
【図１７】
2021514147.tif 000025
【図１８】
2021514147.tif 000026
【図１９】
2021514147.tif 000027
【図２０】
2021514147.tif 000028
【図２１】
2021514147.tif 000029
【図２２】
2021514147.tif 000030
【図２３】
2021514147.tif 000031
【図２４】
2021514147.tif 000032
【図２５】
2021514147.tif 000033
【国際調査報告】
2021514147.tif 000034
2021514147.tif 000035
2021514147.tif 000036
2021514147.tif 000037